(57)【要約】電動乗り物を充電するためのシステムと方法が提供される。システムは、充電ステーション推奨に関する要求を、クライアント端末から受信し、クライアント端末の事前設定された距離範囲内に、少なくとも１つの充電ステーションを決定し、１つまたは複数の評価パラメータに基づいて、少なくとも１つの充電ステーションの各々に関する評価を決定し、第１のコンピューティングデバイスにより、少なくとも１つの充電ステーションの各々の評価と、少なくとも１つの充電ステーションの各々の識別子をクライアント端末に送信するための方法を実行することができる。【選択図】図７
2021504850.tif 000002
【特許請求の範囲】
【請求項１】
電動乗り物を充電するための１つまたは複数のコンピューティングデバイスにインプリメントされた方法であって、前記１つまたは複数のコンピューティングデバイスの各々は、少なくとも１つのプロセッサと、少なくとも１つのストレージデバイスと、ネットワークに通信可能に接続されたデータ交換ポートを有し、前記１つまたは複数のコンピューティングデバイスは、充電ステーション推奨のための第１のコンピューティングデバイスまたは充電制御のための第２のコンピューティングデバイスの少なくとも１つを含み、前記方法は、
前記第１のコンピューティングデバイスにより、クライアント端末からの充電ステーション要求を受信するステップと、
前記第１のコンピューティングデバイスにより、前記クライアント端末の事前設定された距離範囲内の少なくとも１つの充電ステーションを決定するステップと、
前記第１のコンピューティングデバイスにより、１つまたは複数の評価パラメータに基づいて、前記少なくとも１つの充電ステーションの各々に関する評価を決定するステップであって、前記１つまたは複数の評価パラメータは、
前記少なくとも１つの充電ステーションの各々により提供された価格ディスカウントと、前記少なくとも１つの充電ステーションの各々と、前記クライアント端末との間の距離と、前記少なくとも１つの充電ステーションの各々に関する事前設定された推奨値と、前記少なくとも１つの充電ステーションの各々の過去の評価、の少なくとも１つを含む、判断するステップと、
前記第１のコンピューティングデバイスにより、前記少なくとも１つの充電ステーションの各々の前記評価と、前記少なくとも１つの充電ステーションの各々の識別子を前記クライアント端末に送信するステップと、
備えた方法。
【請求項２】
前記第１のコンピューティングデバイスにより、前記少なくとも１つの充電ステーションの各々に関する評価を決定するステップは、
それぞれ、前記１つまたは複数の評価パラメータに対応する、１つまたは複数の事前設定された重み付け値を取得するステップと、
前記１つまたは複数の事前設定された重み付け値に基づいて、前記１つまたは複数の評価パラメータの重み付けされた合計を推定するステップと、
前記１つまたは複数の評価パラメータの重み付けされた合計を、前記少なくとも１つの充電ステーションの各々の評価として指定するステップと、
を含む、請求項１に記載の方法。
【請求項３】
前記１つまたは複数の事前設定された重み付け値は、
少なくとも１つの充電ステーションの各々により提供される価格ディスカウントに対応する、第１の事前設定された重み付け値が４０％である、前記少なくとも１つの充電ステーションの各々と、前記クライアント端末との間の距離に対応する、第２の事前設定された重み付け値が３５％である、前記少なくとも充電ステーションの各々の前記事前設定された推奨値に対応する、第３の事前設定された重み付け値が２０％である、あるいは、前記少なくとも１つの充電ステーションの各々の前記過去の評価値に対応する、第４の事前設定された重み付け値が５％である、の少なくとも１つを含む、請求項２に記載の方法。
【請求項４】
前記少なくとも１つの充電ステーションに対して、前記第１のコンピューティングデバイスにより、１つまたは複数の推奨パラメータに基づいて、前記事前設定された推奨値を決定するステップであって、前記１つまたは複数の推奨パラメータは、
前記少なくとも１つの充電ステーションの各々における充電パイルの数、前記少なくとも１つの充電ステーションの各々におけるリアルタイム駐車料金、または前記少なくとも１つの充電ステーションの各々に関連づけられた充電単価、の少なくとも１つを含む、請求項１に記載の方法。
【請求項５】
前記事前設定された推奨値を決定するステップは、
それぞれ、１つまたは複数の推奨パラメータの１つに対応する前記１つまたは複数のパーセンテージを取得するステップと、
前記１つまたは複数の事前設定されたパーセンテージに基づいて前記事前設定された推奨値を決定するステップと、を含み、前記事前設定された推奨値は、それぞれ前記対応する事前設定されたパーセンテージを多重化する前記１つまたは複数の推奨パラメータの合計に等しい、請求項４に記載の方法。
【請求項６】
前記１つまたは複数の事前設定されたパーセンテージは、
前記充電ステーションの各々における充電パイルの数に対応する、第１の事前設定されたパーセンテージは、４５％である、前記少なくとも１つの充電ステーションの各々における前記リアルタイム駐車料金に対応する、第２の事前設定されたパーセンテージは３５％である、または、前記少なくとも１つの充電ステーションの各々に関連づけられた充電単価に対応する、第３の事前設定されたパーセンテージは、２０％である、の少なくとも１つを含む、請求項５に記載の方法。
【請求項７】
前記少なくとも１つの充電ステーションの各々の前記評価と、前記少なくとも１つの充電ステーションの各々の識別子を、前記クライアント端末に送信するステップは、
前記少なくとも１つの充電ステーションを、前記少なくとも１つの充電ステーションの前記評価に従って、降べきの順にソートするステップと、
前記ソートされた少なくとも１つの充電ステーションの各々の前記評価と、前記ソートされた少なくとも１つの充電ステーションの各々の前記識別子を、表示のために前記クライアント端末に送信するステップと、
を含む、請求項１乃至６のいずれか一項に記載の方法。
【請求項８】
前記少なくとも１つの充電ステーションの各々の前記評価と、前記少なくとも１つの充電ステーションの各々の識別子を、前記クライアント端末に送信するステップは、
前記少なくとも１つの充電ステーションの各々の前記評価が、事前設定されたしきい値以上かどうかを判断するステップと、
前記評価が、前記事前設定されたしきい値以上であるとの判断に応答して、前記少なくとも１つの充電ステーションの、各々の前記識別子を表示のために前記クライアント端末に送信するステップと、を含む、請求項１乃至６に記載のいずれか一項に記載の方法。
【請求項９】
前記第２のコンピューティングデバイスにより、充電要求と、前記クライアント端末と前記第２のコンピューティングデバイスとを接続するための関連づけ要求を、前記少なくとも１つの充電ステーションの１つにおける目標充電パイルから受信するステップと、
前記第２のコンピューティングデバイスにより、前記充電要求に基づいて、前記クライアント端末に関連づけられた電動乗り物を充電するための充電情報を決定するステップと、
前記第２のコンピューティングデバイスにより、前記第２のコンピューティングデバイスと、前記クライアント端末との間の接続を、前記関連づけ要求に基づいて確立するステップと、
前記第２のコンピューティングデバイスにより、前記充電情報を前記目標充電パイルに送信して、前記充電情報に基づいて前記電動乗り物を充電するステップと、
をさらに備えた、請求項１乃至８のいずれか一項に記載の方法。
【請求項１０】
前記第２のコンピューティングデバイスにより、前記電動乗り物の現在の充電ステータスを、前記目標充電パイルから取得するステップと、
前記第２のコンピューティングデバイスにより、前記現在の充電ステータスを、前記クライアント端末と前記第２のコンピューティングデバイスとの間の接続を介して前記クライアント端末に送信するステップと、
をさらに備えた、請求項９に記載の方法。
【請求項１１】
前記第２のコンピューティングデバイスにより、前記電動乗り物に関する充電が完了したかどうかを判断するステップと、
前記電動乗り物に関する充電が完了したとの判断に応答して、前記第２のコンピューティングデバイスにより、前記充電情報に対応する充電料金を決定するステップと、
前記第２のコンピューティングデバイスにより、前記充電料金を、前記クライアント端末に送信するステップと、
前記第２のコンピューティングデバイスにより、前記クライアント端末から前記充電料金に関する支払い確認を受信すると、前記クライアント端末に関連づけられた電子銀行口座から、前記充電料金を差し引くステップと、
をさらに備えた、請求項９または１０に記載の方法。
【請求項１２】
少なくとも１つのプロセッサと、少なくとも１つのストレージデバイスと、ネットワークに通信可能に接続されたデータ交換ポートを有する充電管理デバイスにインプリメントされた電動乗り物の充電制御の方法において、前記方法は、
前記少なくとも１つのプロセッサにより、充電要求と、クライアント端末と前記充電管理デバイスとを接続するための関連づけ要求を、充電パイルから受信するステップと、
前記少なくとも１つのプロセッサにより、前記充電要求に基づいて、前記クライアント端末に関連づけられた電動乗り物を充電するための充電情報を決定するステップと、
前記少なくとも１つのプロセッサにより、前記関連づけ要求に基づいて、前記充電管理デバイスと前記クライアント端末との間の接続を確立するステップと、
前記少なくとも１つのプロセッサにより、前記充電情報に基づいて、前記電動乗り物を充電するための前記充電情報を前記充電パイルに送信するステップと、
を備えた、方法。
【請求項１３】
前記少なくとも１つのプロセッサにより、前記電動乗り物の現在の充電ステータスを前記目標充電パイルから取得するステップと、
前記少なくとも１つのプロセッサにより、前記クライアント端末と前記充電管理デバイスとの間の接続を介して、前記現在の充電ステータスを前記クライアント端末に送信するステップと、
をさらに備えた、請求項１２に記載の方法。
【請求項１４】
前記少なくとも１つのプロセッサにより、前記電動乗り物に対する充電が完了したかどうかを判断するステップと、
前記電動乗り物に対する充電が完了したとの判断に応答して、前記少なくとも１つのプロセッサにより、前記充電情報に対応する充電料金を決定するステップと、
前記少なくとも１つのプロセッサにより、前記充電料金を前記クライアント端末に送信するステップと、
前記少なくとも１つのプロセッサにより、前記クライアント端末から前記充電料金に対する支払い確認を受信すると、前記クライアント端末に関連づけられた電子金融講座から前記充電料金を差し引くステップと、
をさらに備えた、請求項１２または１３に記載の方法。
【請求項１５】
少なくとも１つのプロセッサと、少なくとも１つのストレージデバイスと、ネットワークに通信可能に接続されたデータ交換ポートを有する充電パイルにインプリメントされた電動乗り物を充電する方法において、前記方法は、
前記少なくとも１つのプロセッサにより、前記充電パイルが電動乗り物に接続されているかどうかを判断するステップと、
前記少なくとも１つのプロセッサにより、前記充電パイルが前記電動乗り物に接続されているとの判断に応答して、前記電動乗り物に関連づけられたクライアント端末を決定するステップと、
前記少なくとも１つのプロセッサにより、充電プロンプトと関連づけプロンプトを前記クライアント端末に送信するステップと、
前記少なくとも１つのプロセッサにより、前記充電パイルにおいて前記電動乗り物を充電するための充電要求と、前記クライアント端末と充電管理デバイスを接続するための関連づけ要求を、前記クライアント端末から受信するステップと、
前記少なくとも１つのプロセッサにより、前記データ交換ポートを介して前記充電要求と前記関連づけ要求を、前記充電管理デバイスに送信するステップと、
を備えた、方法。
【請求項１６】
前記少なくとも１つのプロセッサにより、前記充電情報を前記充電管理デバイスから受信するステップと、
前記少なくとも１つのプロセッサにより、前記充電情報に基づいて前記充電パイルを動作させて前記電動乗り物を充電するステップと、
をさらに備えた、請求項１５に記載の方法。
【請求項１７】
前記少なくとも１つのプロセッサにより、前記電動乗り物の現在の充電ステータスを、前記充電管理デバイスに送信するステップをさらに備えた、請求項１５または１６に記載の方法。
【請求項１８】
少なくとも１つのプロセッサと、少なくとも１つのストレージデバイスと、ネットワークを介して通信可能に接続されたデータ交換ポートを有するクライアント端末にインプリメントされた電動乗り物を充電する方法において、
少なくとも１つのプロセッサにより、充電パイルが、クライアント端末に関連づけられた電動乗り物に接続された後で、充電プロンプトと関連づけプロンプトを、前記データ交換ポートを介して、前記充電パイルから前記充電プロンプトと関連づけ、プロンプトを前記充電パイルから受信するステップと、
前記少なくとも１つのプロセッサにより、前記クライアント端末のユーザインタフェースに前記充電プロンプトを表示させるステップと、
前記少なくとも１つのプロセッサにより、前記ユーザインタフェースのユーザ相互作用に基づいて、前記電動乗り物を充電するための充電要求を生成するステップと、
前記少なくとも１つのプロセッサにより、前記関連づけプロンプトに基づいて前記クライアント端末を充電管理デバイスに接続するための関連づけ要求を生成するステップと、
前記少なくとも１つのプロセッサに基づいて、前記充電要求と前記関連づけ要求を前記充電パイルに送信し、前記充電パイルに、前記充電要求と前記関連づけ要求を、前記充電管理デバイスに送信させるステップと、を備えた方法。
【請求項１９】
前記少なくとも１つのプロセッサにより、前記充電管理デバイスにより送信された前記電動乗り物の現在の充電ステータスを受信するステップと、
前記少なくとも１つのプロセッサにより、前記現在の充電ステータスを前記ユーザインタフェースに表示するステップと、をさらに備えた、請求項１６に記載の方法。
【請求項２０】
前記少なくとも１つのプロセッサにより、前記ユーザインタフェースを介して充電停止要求を受信するステップをさらに備えた、請求項１９に記載の方法。
【請求項２１】
前記少なくとも１つのプロセッサにより前記充電管理デバイスにより送信された充電料金を受信するステップと、
前記少なくとも１つのプロセッサにより、前記充電料金を前記ユーザインタフェースに表示するステップと、
前記少なくとも１つのプロセッサにより、前記充電料金に関する支払い確認を前記ユーザインタフェースから取得するステップと、
前記少なくとも１つのプロセッサにより、前記支払い確認を前記充電管理デバイスに送信し、前記充電管理デバイスに、前記クライアント端末に関連づけられた電子金融口座から、前記充電料金を差し引かせるステップと、をさらに備えた、請求項１８または１９に記載の方法。
【請求項２２】
電動乗り物を充電するためのシステムにおいて、
命令のセットを含む少なくとも１つの非一時的記憶媒体と、
前記少なくとも１つの非一時的記憶媒体と通信している１つまたは複数のプロセッサであって、前記命令のセットを実行しているとき、前記１つまたは複数のプロセッサは、
クライアント端末から充電ステーション推奨要求を受信することと、
前記クライアント端末の事前設定された距離範囲内に、少なくとも１つの充電ステーションを判断することと、
１つまたは複数の評価パラメータに基づいて、前記少なくとも１つの充電ステーションの各々に関する評価を決定することであって、前記１つまたは複数の評価パラメータは、
前記少なくとも１つの充電ステーションの各々により提供された価格ディスカウントと、前記少なくとも１つの充電ステーションと前記クライアント端末との間の距離と、前記少なくとも１つの充電ステーションの、各々の過去の評価の少なくとも１つを含む、決定することと、
前記少なくとも１つの充電ステーションの各々の前記評価と、前記少なくとも１つの充電ステーションの、各々の識別子を前記クライアント端末に送信することと、
を実行するように指示される、電動乗り物を充電するシステム。
【請求項２３】
電動乗り物の充電制御のためのシステムにおいて、
命令のセットを含む少なくとも１つの非一時的記憶媒体と、
前記少なくとも１つの非一時的記憶媒体と通信している、１つまたは複数のプロセッサであって、前記命令のセットを実行しているとき、前記１つまたは複数のプロセッサは、
充電要求と、クライアント端末と充電管理デバイスとを接続するための関連付け要求を充電パイルから受信することと、
前記充電要求に基づいて、前記クライアント端末と関連づけられた電動乗り物を充電するための充電情報を決定することと、
前記関連づけ要求に基づいて、前記充電管理デバイスと前記前記クライアント端末との間の接続を確立することと、
前記充電情報に基づいて、前記充電情報を前記充電パイルに送信して前記電動乗り物を充電することと、を実行するように指示される、電動乗り物の充電制御システム。
【請求項２４】
電動乗り物を充電するためのシステムにおいて、
命令のセットを含む少なくとも１つの非一時的記憶媒体と、
前記少なくとも１つの非一時的記憶媒体と通信している１つまたは複数のプロセッサと、を備え、前記命令のセットを実行しているとき、前記１つまたは複数のプロセッサは、
前記充電パイルが電動乗り物と接続されているかどうかを判断し、
前記充電パイルが前記電動乗り物と接続されているとの判断に応答して、前記電動乗り物に関連づけられたクライアント端末を決定し、
充電プロンプトと関連づけプロンプトを前記クライアント端末に送信し、
前記充電パイルにおいて前記電動乗り物を充電するための充電要求と、前記クライアント端末を充電管理デバイスと接続するための関連づけ要求を、前記クライアント端末から受信し、
前記充電要求と前記関連づけ要求を、データ交換ポートを介して、前記充電管理デバイスに送信する、ように指示される、電動乗り物を充電するためのシステム。
【請求項２５】
電動乗り物を充電するためのシステムにおいて、
命令のセットを含む少なくとも１つの非一時的記憶媒体と、
前記少なくとも１つの非一時的記憶媒体と通信している１つまたは複数のプロセッサと、を備え、前記命令のセットを実行しているとき、前記１つまたは複数のプロセッサは、
充電パイルがクライアント端末に関連づけられた電動乗り物に接続された後でデータ交換ポートを介して、前記充電パイルから充電プロンプトと関連づけプロンプトを受信し、
前記クライアント端末のユーザインタフェースに、前記充電プロンプトを表示させ、前記ユーザインタフェース上のユーザ相互作用に基づいて、前記電動乗り物を充電するための充電要求を生成し、
前記関連づけ要求に基づいて、前記クライアント端末を充電管理デバイスと接続するための関連づけ要求を生成し、
前記充電要求と前記関連づけ要求を前記充電パイルに送信して、前記充電パイルに、前記充電要求と、前記関連づけ要求を、前記充電管理デバイスに送信させる、
ように指示される、電動乗り物を充電するためのシステム。
【請求項２６】
コンピュータプログラムプロダクトを具現化する非一時的コンピュータ可読媒体において、前記コンピュータプログラムプロダクトは、コンピューティングデバイスに、
充電ステーション推奨に関する要求をクライアント端末から受信させ、
前記クライアント端末の事前設定された距離範囲内にある、少なくとも１つの充電ステーションを決定させ、
１つまたは複数の評価パラメータに基づいて、前記少なくとも１つの充電ステーションの各々に関する評価を決定させ、前記１つまたは複数の評価パラメータは、
前記少なくとも１つの充電ステーションの各々により提供される価格ディスカウント、前記少なくとも１つの充電ステーションの各々と前記クライアント端末との間の距離、前記少なくとも１つの充電ステーションの各々に関する事前設定された推奨値、または前記少なくとも１つの充電ステーションの各々の過去の評価、の少なくとも１つを含む評価を決定させ、
前記少なくとも１つの充電ステーションの各々の前記評価と、前記少なくとも１つの充電ステーションの各々の識別子を前記クライアント端末に送信させる、非一時的コンピュータ可読媒体。
【請求項２７】
コンピュータプログラムプロダクトを具現化する非一時的コンピュータ可読媒体において、前記コンピュータプログラムプロダクトは、コンピュータデバイスに、
充電要求と、クライアント端末と充電管理デバイスを接続するための関連づけ要求を充電パイルから受信させ、
前記充電要求に基づいて前記クライアント端末に関連づけられた電動乗り物を充電するための充電情報を決定させ、
前記関連づけ要求に基づいて、前記充電管理デバイスと前記クライアント端末との間の接続を確立させ、
前記充電情報に基づいて、前記充電情報を前記充電パイルに送信して前記電動乗り物を充電させるように構成された命令を備える、非一時的コンピュータ可読媒体。
【請求項２８】
コンピュータプログラムプロダクトを具現化する非一時的コンピュータ可読媒体において、前記コンピュータプログラムプロダクトは、コンピューティングデバイスに、
充電パイルが電動乗り物に接続されているかどうかを判断させ、
前記充電パイルが前記電動乗り物に接続されているとの判断に応答して前記電動乗り物に関連づけられたクライアント端末を決定させ、
充電プロンプトと関連づけプロンプトを前記クライアント端末に送信させ、
前記充電パイルにおいて、前記電動乗り物を充電するための充電要求と、前記クライアント端末を充電管理デバイスに接続するための関連づけ要求を前記クライアント端末から受信させ、
前記充電要求と前記関連づけ要求を、データ交換ポートを介して、前記充電管理デバイスに送信させる、ように構成された命令を備えた、非一時的コンピュータ可読媒体。
【請求項２９】
コンピュータプログラムプロダクトを具現化する非一時的コンピュータ可読媒体において、前記コンピュータプログラムプロダクトは、コンピューティングデバイスに、
充電パイルがクライアント端末に関連づけられた電動乗り物に接続された後に、データ交換ポートを介して充電プロンプトと関連づけプロンプトを、充電パイルから受信させ、
前記クライアント端末のユーザインタフェースに、前記充電プロンプトを表示させ、
前記ユーザインタフェース上のユーザ相互作用に基づいて、前記電動乗り物を充電するための充電要求を生成させ、
前記関連づけプロンプトに基づいて、前記クライアント端末を充電管理デバイスに接続するための関連づけプロンプトを生成させ、
前記充電要求と前記関連づけ要求を前記充電パイルに送信して、前記充電パイルに前記充電要求と前記関連づけ要求を前記充電管理デバイスに転送させる、ように構成された命令を備えた、非一時的コンピュータ可読媒体。
【請求項３０】
少なくとも１つのプロセッサとストレージを有するシステムにおいて、
充電ステーション推奨のための要求をクライアント端末から受信するように構成された受信ユニットと、
前記クライアント端末の事前設定された距離範囲内に少なくとも１つの充電ステーションを決定するように構成された決定ユニットと、
１つまたは複数の評価パラメータに基づいて、前記少なくとも１つの充電ステーションの各々に関する評価を決定するように構成された計算ユニットであって、前記少なくとも１つの評価パラメータは、
前記少なくとも１つの充電ステーションの各々により提供される価格と、前記少なくとも１つの充電ステーションの各々と前記クライアント端末との間の距離と、前記少なくとも１つの充電ステーションの各々に関する事前設定された推奨値と、または前記少なくとも１つの充電ステーションの各々の過去の評価、の少なくとも１つを含む、計算ユニットと、
前記少なくとも１つの充電ステーションの各々の前記評価と、前記少なくとも１つの誘電ステーションの各々の識別子を、前記クライアント端末に送信するように構成されたプッシュユニットと、
を備えた、システム。
【請求項３１】
少なくとも１つのプロセッサとストレージを有するシステムにおいて、
充電要求と、クライアント端末と充電管理デバイスを接続するための関連づけ要求を充電パイルから受信するように構成された受信ユニットと、
前記充電要求に基づいて、前記クライアント端末に関連づけられた電動乗り物を充電するための充電情報を決定するように構成された決定ユニットと、
前記関連づけ要求に基づいて、前記充電管理デバイスと前記クライアント端末との間の接続を確立するように構成された接続ユニットと、
前記充電情報に基づいて、前記電動乗り物を充電するために、前記充電情報を前記充電パイルに送信するように構成された送信ユニットと、
を備えたシステム。
【請求項３２】
少なくとも１つのプロセッサとストレージを有するシステムにおいて、
充電パイルが電動乗り物に接続されているかどうかを判断し、前記充電パイルが前記電動乗り物に接続されているとの判断に応答して、前記電動乗り物に関連づけられたクライアント端末を決定するするように構成された決定ユニットと、
充電プロンプトと関連づけプロンプトを、前記クライアント端末に送信するように構成された送信ユニットと、
前記充電パイルにおいて、前記電動乗り物を充電するための充電要求と、前記クライアント端末を充電管理デバイスに接続するための関連づけ要求を、前記クライアント端末から受信するように構成された受信ユニットと、
前記充電要求と前記関連づけ要求を、データ交換ポートを介して前記充電管理デバイスに送信するように構成された送信ユニットと、
を備えたシステム。
【請求項３３】
少なくとも１つのプロセッサとストレージを有するシステムにおいて、
充電パイルがクライアント端末に関連づけられた電動乗り物に接続された後で、データ交換ポートを介して充電パイルから充電プロンプトと関連づけプロンプトを受信するように構成された受信ユニットと、
前記クライアント端末のユーザインタフェースに、前記充電プロンプトを表示させるように構成された表示ユニットと、
前記ユーザインタフェース上のユーザ相互作用に基づいて、前記電動乗り物を充電するための充電要求を生成し、前記関連づけプロンプトに基づいて、前記クライアント端末を充電管理デバイスと接続するための関連づけ要求を生成するように構成された生成ユニットと、
前記充電要求と前記関連づけ要求を前記充電パイルに送信し、前記充電パイルに、前記充電要求と前記関連づけ要求を、前記充電管理デバイスに転送させるように構成された送信ユニットと、
を備えたシステム。
【発明の詳細な説明】
【技術分野】
【０００１】
関連出願の相互参照
この出願は、２０１７年１１月３０日に出願した中国特許出願第２０１７１１２４０９０９．４号および２０１７年１１月３０日に出願した中国特許出願第２０１７１１２４２９７４．０号の優先権を主張し、その内容は、参照することにより全体がここに組み込まれる。
【０００２】
この開示は、一般に、オンラインツーオフラインサービス（online to offline services）に関し、特に、電動乗り物の充電に関するシステムと方法に関する。
【背景技術】
【０００３】
電気自動車あるいはハイブリッド車のような新しいエネルギ車が普及するにつれ、新しいエネルギ車を充電するためにさらに多くの充電ステーションが提供されている。広範囲の充電パイル（charging pile）を配置することにより、新エネルギ車のドライバは充電のための充電パイルをより効率的に見つけることができ、移動の利便性を改善することができる。その一方で、オンラインタクシー呼び出しサービスのようなインターネットベースのオンラインツーオフライン（online to offline）サービスは、その利便性ゆえにますます人気が高まっている。一般的なガソリン車に加えて、電気自動車またはハイブリッド車は、またインターネットベースオンラインツーオフラインサービスの輸送手段の一部となっている。ユーザは、クライアント端末（例えば、モバイルフォン）にインプリメントされたアプリケーションを用いて１つまたは複数の充電ステーションを入手することができる。一般に、アプリケーションに関連付けられたサーバは、充電ステーションの充電パイルの数および／またはユーザの嗜好に基づいて充電ステーションを推奨することができる。充電ステーションのそのような情報は、最新ではない可能性があり、ユーザエクスペリエンスが低下する。さらに、充電と支払いを容易にするために、電気自動車のユーザは、自分のモバイルフォンを介して充電パイルおよびサーバと通信する必要性があるかもしれない。通信を確立するプロセスにおいて、ユーザは、関連付け要求を開始したり、関連付け情報をチェックしたりするような、ユーザエクスペリエンスに影響を与える複数の関連付け動作を実行することができる。それ故、より効率的に電気自動車を充電するためのシステムおよび方法を提供することがのぞましい。
【発明の概要】
【０００４】
この開示の一態様によれば、方法が提供される。この方法は、各々が少なくとも１つのプロセッサ、ストレージ、およびネットワークへ接続するための通信プラットフォームを有する少なくとも１つのデバイス上でインプリメントすることができる。この方法は、１つまたは複数の以下の動作を含むことができる。少なくとも１つのプロセッサは、クライアント端末から充電ステーション推奨の要求を受信することができる。少なくとも１つのプロセッサは、クライアント端末の事前設定された距離範囲内に少なくとも１つの充電ステーションを決定することができる。少なくとも１つのプロセッサは、１つまたは複数の評価パラメータに基づいて少なくとも１つの充電ステーションの各々に関する評価を決定することができる。１つまたは複数の評価パラメータは、少なくとも１つの充電ステーションの各々により提供される価格ディスカウント、少なくとも１つの充電ステーションとクライアント端末の各々間の距離、少なくとも１つの充電ステーションの各々に関する事前設定推奨値、または少なくとも１つの充電ステーションの各々の過去の評価の少なくとも１つを含む。少なくとも１つのプロセッサは、少なくとも１つの充電ステーションと、少なくとも１つの充電ステーションの各々の識別子の各々の評価をクライアント端末に送信することができる。
【０００５】
いくつかの実施形態において、少なくとも１つの充電ステーションの各々に関する評価を決定するために、少なくとも１つのプロセッサは、それぞれ、１つまたは複数の評価パラメータに対応する１つまたは複数の事前設定された重み値を取得することができる。少なくとも１つのプロセッサは、１つまたは複数の事前設定された重み値にもとづいて１つまたは複数の評価パラメータの重み付けされた合計を推定することができる。少なくとも１つのプロセッサは、１つまたは複数の評価パラメータの重み付けされた合計を少なくとも１つの充電ステーションの各々の評価として指定することができる。
【０００６】
いくつかの実施形態において、１つまたは複数の事前設定された重み値は、少なくとも１つの充電ステーションの各々により提供される価格ディスカウントに対応する第１の事前設定された重み値が４０％である、少なくとも１つの充電ステーションの各々とクライアント端末との間の距離に対応する第２の事前設定された値が３５％である、少なくとも１つの充電ステーションの各々の事前設定された推奨値に対応する第３の事前設定された重み値が２０％である、または少なくとも１つの充電ステーションの、各々の過去の評価値に対応する第４の事前設定された重み値は、５％である、の少なくとも１つを含むことができる。
【０００７】
いくつかの実施形態において、少なくとも１つのプロセッサは、さらに、少なくとも１つの充電ステーションの各々に関して、１つまたは複数の推奨パラメータに基づいて事前設定された推奨値を決定することができる。１つまたは複数の推奨パラメータは、少なくとも１つの充電ステーションの各々における充電パイルの数、少なくとも１つの充電ステーションの各々におけるリアルタイムの駐車料金、または少なくとも１つの充電ステーションの各々に関連づけられた単位充電価格、の少なくとも１つを含む。
【０００８】
いくつかの実施形態において、事前設定された推奨値を決定するために、少なくとも１つのプロセッサは、それぞれ、１つまたは複数の推奨パラメータの１つに対応する１つまたは複数のプリセットパーセンテージを取得することができる。少なくとも１つのプロセッサは、１つまたは複数の事前設定されたパーセンテージに基づいて、事前設定された推奨値を決定することができ、事前設定された推奨値は、対応する事前設定されたパーセンテージを乗算する、１つまたは複数の推奨パラメータの合計に等しい。
【０００９】
いくつかの実施形態において、１つまたは複数の事前設定されたパーセンテージは、充電ステーションの各々における充電パイルの数に対応する、第１の事前設定されたパーセンテージは４５％である、少なくとも１つの充電ステーションの各々におけるリアルタイム駐車料金に対応する、第２の事前設定されたパーセンテージは、３５％である、あるいは、少なくとも１つの充電ステーションの各々に関連づけられた充電単位価格に対応する、第３の事前設定されたパーセンテージが２０％である、の少なくとも１つを含むことができる。
【００１０】
いくつかの実施形態において、少なくとも１つの充電ステーションの各々の評価と、少なくとも１つの充電ステーションの各々の識別子をクライアント端末に送信するために、少なくとも１つのプロセッサは、少なくとも１つの充電ステーションの評価に従って、少なくとも１つの充電ステーションを、降べきの順にソートすることができる。少なくとも１つのプロセッサは、ソートされた少なくとも１つの充電ステーションの各々の評価と、少なくとも１つの充電ステーションの各々の識別子を表示のためにクライアント端末に送信することができる。
【００１１】
いくつかの実施形態において、少なくとも１つの充電ステーションの、各々の評価と、少なくとも１つの充電ステーションの各々の識別子をクライアント端末に送信するために、少なくとも１つのプロセッサは、少なくとも１つの充電ステーションの各々の評価が、事前設定されたしきい値以上かどうかを判断することができる。少なくとも１つのプロセッサは、評価が、事前設定されたしきい値以上であるとの判断に応答して少なくとも１つの充電ステーションの各々の識別子を、クライアント端末に送信して表示することができる。
【００１２】
いくつかの実施形態において、少なくとも１つのプロセッサはさらに、少なくとも１つの充電ステーションの１つにおける目標充電パイルから、クライアント端末と第２のコンピューティングデバイスを接続するための充電要求と、関連付け要求を受信することができる。少なくとも１つのプロセッサは、充電要求に基づいてクライアント端末に関連づけられた、電動乗り物を充電するための充電情報を決定することができる。少なくとも１つのプロセッサは、関連づけられた要求に基づいて、第２のコンピューティングデバイスとクライアント端末との間の接続を確立することができる。少なくとも１つのプロセッサは、充電情報を目標充電パイルに送信して、充電情報に基づいて電動乗り物を充電することができる。
【００１３】
いくつかの実施形態において、少なくとも１つのプロセッサはさらに、目標充電パイルから電動乗り物の現在の充電ステータスを取得することができる。少なくとも１つのプロセッサは、クライアント端末と第２のコンピューティングデバイスとの間の接続を介して、クライアント端末に現在の充電ステータスを送信することができる。
【００１４】
いくつかの実施形態において、少なくとも１つのプロセッサはさらに、電動乗り物の充電が完了したかどうかを判断することができる。少なくとも１つのプロセッサは、電動乗り物の充電が完了したとの判断に応答して、充電情報に対応する充電料金を決定することができる。少なくとも１つのプロセッサは、充電料金をクライアント端末に送信することができる。少なくとも１つのプロセッサは、クライアント端末から充電料金の支払い確認を受信すると、クライアント端末に関連づけられた、電子金融講座から充電料金を差し引くことができる。
【００１５】
この開示の他の態様によれば、方法が提供される。この方法は、少なくとも１つのデバイス上でインプリメントすることができ、各デバイスは、少なくとも１つのプロセッサと、ストレージと、ネットワークに接続するための通信プラットフォームを有する。この方法は、１つまたは複数の以下の動作を含むことができる。少なくとも１つのプロセッサは、充電要求と、クライアント端末と充電パイルからの充電管理デバイスを接続する関連付け要求を受信することができる。少なくとも１つのプロセッサは、充電要求に基づいてクライアント端末に関連づけられた、電動乗り物を充電するための充電情報を決定することができる。少なくとも１つのプロセッサは、関連付け要求に基づいて、充電管理デバイスとクライアント端末との間の接続を確立することができる。少なくとも１つのプロセッサは、充電情報を充電パイルに送信して、充電情報に基づいて電動乗り物を充電することができる。
【００１６】
いくつかの実施形態において、少なくとも１つのプロセッサはさらに目標充電パイルから電動乗り物の現在の充電ステータスを取得することができる。少なくとも１つのプロセッサは、クライアント端末と充電管理デバイスとの間の接続を介して、現在の充電ステータスをクライアント端末に送信することができる。
【００１７】
いくつかの実施形態において、少なくとも１つのプロセッサは、さらに電動乗り物の充電が完了したかどうかを決定することができる。少なくとも１つのプロセッサは、電動乗り物の充電が完了したとの決定に応答して、充電情報に対応する充電料金を決定することができる。少なくとも１つのプロセッサは、充電料金をクライアント端末に送信することができる。少なくとも１つのプロセッサは、クライアント端末から充電料金に関する支払い確認を受信すると、クライアント端末に関連づけられた電子金融講座から充電料金を差し引くことができる。
【００１８】
この開示の他の態様によれば、方法が提供される。この方法は、各デバイスが少なくとも１つのプロセッサと、ストレージと、ネットワークに接続するための通信プラットフォームを有する少なくとも１つのデバイス上で、インプリメントすることができる。この方法は、１つまたは複数の以下の動作を含むことができる。少なくとも１つのプロセッサは、充電パイルが電動乗り物に接続されているかどうかを判断することができる。少なくとも１つのプロセッサは、充電パイルが電動乗り物に接続されているとの判断に応答して、電動乗り物に関連づけられたクライアント端末を決定することができる。少なくとも１つのプロセッサは、充電プロンプトと関連付けプロンプトをクライアント端末に送信することができる。少なくとも１つのプロセッサは、充電パイルにおける電動乗り物を充電するための充電要求と、クライアント端末を充電管理デバイスに接続するための関連付け要求を、クライアント端末から受信することができる。少なくとも１つのプロセッサは、充電要求と関連付け要求を、データ交換ポートを介して、充電管理デバイスに送信することができる。
【００１９】
いくつかの実施形態において、少なくとも１つのプロセッサは、充電管理デバイスから充電情報をさらに受信することができる。少なくとも１つのプロセッサは、充電情報に基づいて、充電パイルを操作して電動乗り物を充電することができる。
【００２０】
いくつかの実施形態において、少なくとも１つのプロセッサは、さらに電動乗り物の現在のスタータスを充電管理デバイスに送信することができる。
【００２１】
この開示の他の態様によれば方法が提供される。この方法は、各デバイスが少なくとも１つのプロセッサと、ストレージと、ネットワークに接続するための通信プラットフォームを有する少なくとも１つのデバイス上にインプリメントすることができる。この方法は、１つまたは複数の以下の動作を含むことができる。少なくとも１つのプロセッサは、充電パイルが、クライアント端末に関連づけられた電動乗り物に接続された後で、データ交換ポートを介して充電パイルから、充電プロンプトと関連付けプロンプトを受信することができる。少なくとも１つのプロセッサは、クライアント端末のユーザインタフェースに、充電プロンプトを表示させることができる。少なくとも１つのプロセッサは、ユーザインタフェース上のユーザ相互作用に基づいて、電動乗り物を充電するための充電要求を生成することができる。少なくとも１つのプロセッサは、関連付けプロンプトに基づいて、クライアント端末を充電管理デバイスに接続するための、関連付け要求を生成することができる。少なくとも１つのプロセッサは、充電要求と関連付け要求を、充電パイルに送信して充電パイルに、充電要求と関連付け要求を、充電管理デバイスに送信させることができる。
【００２２】
いくつかの実施形態において、少なくとも１つのプロセッサは、さらに、充電管理デバイスにより送信された電動乗り物の現在の充電ステータスを、受信することができる。少なくとも１つのプロセッサは、ユーザインタフェース上の現在の充電ステータスを、表示することができる。いくつかの実施形態において、少なくとも１つのプロセッサは、さらに、ユーザインタフェースを介して、充電停止要求を受信することができる。
【００２３】
いくつかの実施形態において、少なくとも１つのプロセッサは、さらに、充電管理デバイスにより送信された充電料金を、受信することができる。少なくとも１つのプロセッサは、充電料金をユーザインタフェースに表示させることができる。少なくとも１つのプロセッサは、ユーザインタフェースから、充電料金に関する支払い確認を取得することができる。少なくとも１つのプロセッサは、充電管理デバイスに送信して、充電管理デバイスに、クライアント端末に関連づけられた電子金融口座から、充電料金を差し引かせることができる。
【００２４】
この開示の他の態様によれば、システムが提供される。システムは、少なくとも１つのストレージ媒体と、少なくとも１つのストレージ媒体と通信するように構成された、少なくとも１つのプロセッサを含むことができる。少なくとも１つのストレージ媒体は、オンラインツーオフラインサービスプラットフォームを動作させるための命令のセットを記憶することができる。命令のセットを実行すると、少なくとも１つのプロセッサは、１つまたは複数の以下の動作を実行するように指示されることができる。少なくとも１つのプロセッサは、クライアント端末から、充電ステーション推奨要求を受信することができる。少なくとも１つのプロセッサは、クライアント端末の事前設定された距離範囲内の、少なくとも１つの充電ステーションを決定することができる。少なくとも１つのプロセッサは、１つまたは複数の評価パラメータに基づいて、少なくとも１つの充電ステーションの、各々に関する評価を決定することができる。１つまたは複数の評価パラメータは、少なくとも１つの充電ステーションの、各々により提供される価格ディスカウント、少なくとも１つの充電ステーションの、各々とクライアント端末との間の距離、少なくとも１つの充電ステーションの、各々の事前設定された推奨値、または、少なくとも１つの充電ステーションの、各々の過去の評価の少なくとも１つを含むことができる。少なくとも１つのプロセッサは、少なくとも１つの充電ステーションの、各々の評価と少なくとも１つの充電ステーションの、各々の識別子をクライアント端末に送信することができる。
【００２５】
この開示の他の態様によれば、システムが提供される。システムは少なくとも１つのストレージ媒体と、少なくとも１つのストレージ媒体と通信するように構成された少なくとも１つのプロセッサと、を含むことができる。少なくとも１つのストレージ媒体は、オンラインツーオフラインサービスプラットフォームを動作させるための命令のセットを記憶することができる。命令セットを実行すると、少なくとも１つのプロセッサは、以下の動作の１つまたは複数を実行するように指示されることができる。少なくとも１つのプロセッサは、充電要求と、クライアント端末と充電管理デバイスを接続するための関連付け要求を、充電パイルから受信することができる。少なくとも１つのプロセッサは、充電要求に基づいて、クライアント端末に関連づけられた電動乗り物を充電するための充電情報を、決定することができる。少なくとも１つのプロセッサは、関連付け要求に基づいて、充電管理デバイスと、クライアント端末との間の接続を確立することができる。少なくとも１つのプロセッサは、充電情報に基づいて、電動乗り物を充電するための、充電パイルに充電情報を送信することができる。
【００２６】
この開示の他の態様によれば、システムが提供される。システムは、少なくとも１つのストレージ媒体と、少なくとも１つのストレージ媒体と通信するように構成された少なくとも１つのプロセッサとを含むことができる。少なくとも１つのストレージ媒体は、オンラインツーオフラインサービスプラットフォームを動作させるための命令セットを記憶することができる。命令セットを実行すると、少なくとも１つのプロセッサは、１つまたは複数の以下の動作を実行するように指示されることができる。少なくとも１つのプロセッサは、充電パイルが電動乗り物に接続されているかどうかを判断することができる。少なくとも１つのプロセッサは、充電パイルが電動乗り物に接続されていると判断することに応答して、電動乗り物に関連づけられたクライアント端末を決定することができる。少なくとも１つのプロセッサは、充電プロンプトと関連付けプロンプトをクライアント端末に送信することができる。少なくとも１つのプロセッサは、充電パイルで電動乗り物を充電するための充電要求と、クライアント端末を充電管理デバイスに接続するための関連付け要求を、クライアント端末から受信することができる。少なくとも１つのプロセッサは、充電要求と関連付け要求を、データ交換ポートを介して充電管理デバイスに送信することができる。
【００２７】
この開示の他の態様によれば、システムが提供される。このシステムは、少なくとも１つのストレージ媒体と、少なくとも１つのストレージ媒体と通信をするように構成された、少なくとも１つのプロセッサとを含むことができる。少なくとも１つのストレージ媒体は、オンラインツーオフラインサービスプラットフォームのための命令のセットを記憶することができる。命令のセットを実行すると、少なくとも１つのプロセッサは、１つまたは複数の以下の動作を実行するように指示することができる。少なくとも１つのプロセッサは、充電パイルが、クライアント端末に関連づけられた電動乗り物に接続された後で、充電プロンプトと、データ交換ポートを介して充電パイルから、関連するプロンプトを受信することができる。少なくとも１つのプロセッサは、クライアント端末のユーザインタフェースに、充電プロンプトを表示させることができる。少なくとも１つのプロセッサは、ユーザインタフェース上のユーザ相互作用に基づいて、電動乗り物を充電するための、充電要求を生成することができる。少なくとも１つのプロセッサは、関連プロンプトに基づいて、クライアント端末を充電管理デバイスと接続するための関連付け要求を生成することができる。少なくとも１つのプロセッサは、充電要求と関連付け要求を充電パイルに送信して、充電パイルに、充電要求と関連づけ要求を充電管理デバイスに転送させることができる。
【００２８】
この開示の他の態様によれば、非一時的コンピュータ可読媒体は、オンラインツーオフラインサービスを提供するための少なくとも１つの命令のセットを備えることができる。少なくとも１つの命令のセットは、少なくとも１つのプロセッサにより実行することができる。少なくとも１つのプロセッサは、クライアント端末から充電ステーションの推奨要求を受信することができる。少なくとも１つのプロセッサは、クライアント端末の事前設定された距離内の少なくとも１つの充電ステーションを決定することができる。少なくとも１つのプロセッサは、１つまたは複数の評価パラメータに基づいて、少なくとも１つの充電ステーションの各々に関する評価を決定することができる。１つまたは複数の評価パラメータは、少なくとも１つの充電ステーションの各々により提供される価格ディスカウント、少なくとも１つの充電ステーションの各々とクライアント端末との間の距離、少なくとも１つの充電ステーションの各々に関する事前設定された推奨値、あるいは、少なくとも１つの充電ステーションの各々の過去の評価、の少なくとも１つを含む。少なくとも１つのプロセッサは、少なくとも１つの充電ステーションの各々の評価と、少なくとも１つの充電ステーションの各々の識別子を、クライアント端末に送信することができる。
【００２９】
この開示の他の態様によれば、非一時的コンピュータ可読媒体は、オフラインツーオフラインサービスを提供するための、少なくとも１つの命令のセットを備えることができる。少なくとも１つの命令のセットは、少なくとも１つのプロセッサにより実行することができる。少なくとも１つのプロセッサは、充電要求と、クライアント端末と充電管理デバイスとを接続するための関連づけ要求を、充電パイルから受信することができる。少なくとも１つのプロセッサは、充電要求に基づいて、クライアント端末と関連づけられる、電動乗り物を充電するための充電情報を、決定することができる。少なくとも１つのプロセッサは、関連づけられた要求に基づいて充電管理デバイスとクライアント端末との間の接続を確立することができる。少なくとも１つのプロセッサは、充電情報に基づいて、電動乗り物を充電するために、充電パイルに充電情報を送信することができる。
【００３０】
この開示の他の態様によれば、非一時的コンピュータ可読媒体は、オンラインツーオフラインサービスを提供するための少なくとも１つの命令のセットを備えることができる。少なくとも１つの命令のセットは、少なくとも１つのプロセッサにより実行することができる。少なくとも１つのプロセッサは、充電パイルが電動乗り物に接続されているかどうか判断することができる。少なくとも１つのプロセッサは、充電パイルが、電動乗り物に接続されたことに応答して、電動乗り物に関連づけられたクライアント端末を決定することができる。少なくとも１つのプロセッサは、充電プロンプトと、関連づけプロンプトをクライアント端末に送信することができる。少なくとも１つのプロセッサは、充電パイルにおいて、電動乗り物を充電するための充電要求と、クライアント端末を充電管理デバイスに接続するための関連づけ要求を、クライアント端末から受信することができる。少なくとも１つのプロセッサは、充電要求と関連づけ要求を、データ交換ポートを介して、充電管理デバイスに送信することができる。
【００３１】
この開示の他の態様によれば、非一時的コンピュータ可読媒体は、オンラインツーオフラインサービスを提供するための少なくとも１つの命令のセットを備えることができる。少なくとも１つの命令のセットは、少なくとも１つのプロセッサにより実行することができる。少なくとも１つのプロセッサは、充電パイルが、クライアント端末と関連づけられた電動乗り物に接続された後で、充電プロンプトと、関連づけ要求を、データ交換ポートを介して充電パイルから受信することができる。少なくとも１つのプロセッサは、クライアント端末のユーザインタフェースに充電プロンプトを表示させることができる。少なくとも１つのプロセッサは、ユーザインタフェース上のユーザ相互作用に基づいて、電動乗り物を充電するための充電要求を生成することができる。少なくとも１つのプロセッサは、関連するプロンプトに基づいて、クライアント端末を充電管理デバイスに接続するための関連付け要求を、生成することができる。少なくとも１つのプロセッサは、充電要求と関連づけ要求を充電パイルに送信して、充電パイルに、充電要求と関連づけ要求を充電管理デバイスに転送させることができる。
【００３２】
この開示の他の態様によれば、システムが提供される。システムは、少なくとも１つのプロセッサと、ストレージを有することができる。システムは、クライアント端末から、充電ステーション推奨のための要求を受信するように構成された、受信ユニットを含むことができる。システムは、クライアント端末の事前設定された距離内にある、少なくとも１つの充電ステーションを決定するように構成された決定ユニットを含むことができる。システムは、１つまたは複数の評価パラメータに基づいて、少なくとも１つの充電ステーションの各々に関する評価を、決定するように構成された計算ユニットを含むことができる。１つ又は複数の評価パラメータは、少なくとも１つの充電ステーションの各々により提供された価格ディスカウント、少なくとも１つの充電ステーションの各々とクライアント端末との間の距離、少なくとも１つの充電ステーションの各々に関する事前設定された推奨値、または、少なくとも１つの充電ステーションの各々の過去の評価、の少なくとも１つを含む。システムは、少なくとも１つの充電ステーションの各々の評価と、少なくとも１つの充電ステーションの各々の識別子を、クライアント端末に送信するように構成されたプッシングユニット（pushing unit）を含むことができる。
【００３３】
この開示の他の態様によれば、システムが提供される。システムは、少なくとも１つのプロセッサとストレージを有することができる。システムは、充電要求と、クライアント端末と充電管理デバイスを接続するための関連づけ要求を、充電パイルから受信するように構成される。システムは、充電要求に基づいて、クライアント端末に関連づけられた電気自動者を充電するための、充電情報を決定するように構成された決定ユニットを含むことができる。システムは、関連づけ要求に基づいて、充電管理デバイストと、クライアント端末との間の接続を確立するように構成することができる。システムは、充電情報に基づいて電動乗り物に充電するための充電パイルに、充電情報を送信するように構成された送信ユニットを含むことができる。
【００３４】
この開示の他の態様によれば、システムが提供される。システムは、少なくとも１つのプロセッサおよびストレージを有することができる。システムは、充電パイルが電動乗り物に接続されているかどうかを判断し、充電パイルが電気自動者に接続されているとの判断に応答して、電動乗り物に関連付けられたクライアント端末を決定することができる。システムは、充電プロンプト、関連するプロンプトをクライアント端末に送信するように構成された、送信ユニットを含むことができる。システムは、充電パイルにおいて電動乗り物を充電するための充電要求と、クライアント端末を充電管理デバイスに接続するための関連づけ要求を、クライアント端末から受信するように構成された受信ユニットを含むことができる。システムは、充電要求と関連づけ要求を、データ交換ポートを介して、充電管理デバイスに送信するように構成された送信ユニットを含むことができる。
【００３５】
この開示の他の態様によれば、システムが提供される。システムは、少なくとも１つのプロセッサとストレージを有することができる。システムは、充電パイルがクライアント端末に関連づけられた電動乗り物に接続された後で、充電プロンプトと、関連付け要求を、データ交換ポートを介して、充電パイルから受信するように構成された受信ユニットを含むことができる。システムは、クライアント端末のユーザインタフェースに、充電プロンプトを表示させるように構成された、表示ユニットを含むことができる。システムは、ユーザインタフェース上のユーザ相互作用に基づいて、電動乗り物を充電するための充電要求を生成し、関連するプロンプトに基づいて、クライアント端末を充電管理デバイスに接続するための、関連付け要求を生成するように構成された生成ユニットを含むことができる。システムは、充電要求と、関連づけ要求を充電パイルに送信し、充電パイルに、充電要求と、関連づけ要求を充電管理デバイスに送信させるように構成された送信ユニットを含むことができる。
【００３６】
さらなる特徴は、一部は、この記述でのべられ、一部は、当業者が以下の記述および添付図面を参照することにより明らかになるか、あるいは、実例の製品または動作により学習することができるであろう。本開示の特徴は、以下で論じられる詳細な例に示される方法論、手段、および組み合わせの様々な態様の実践または使用によって実現および達成することができる。この開示はさらに、例示実施形態の観点から記載される。これらの例示実施形態は、図面を参照して詳細に記載される。これらの実施形態は、非限定的例示実施形態であり、図面のいくつかの図全体にわたって、類似の参照符号は類似の構造物を表す。
【図面の簡単な説明】
【００３７】
【図１】この開示のいくつかの実施形態に従う例示オンラインツーオフラインサービスシステムの概略図である。
【図２】この開示で開示された特定のシステムをインプリメントするように構成された例示モバイルデバイスのブロック図である。
【図３】この開示のいくつかの実施形態に従う例示コンピューティングデバイスを図示するブロック図である。
【図４】この開示のいくつかの実施形態に従う例示サーバを図示するブロック図である。
【図５】この開示のいくつかの実施形態に従う電動乗り物を充電するための例示プロセス５００を図示するフローチャートである。
【図６】この開示のいくつかの実施形態に従う例示充電ステーション推奨を図示するブロック図である。
【図７】この開示のいくつかの実施形態に従う充電ステーション推奨のための例示プロセスを図示するフローチャートである。
【図８】この開示のいくつかの実施形態に従う、例示充電管理デバイス４２０を図示するブロック図である。
【図９】この開示のいくつかの実施形態に従う、電動乗り物を充電するように充電パイルを動作させるための例示プロセスを図示するフローチャートである。
【図１０】この開示のいくつかの実施形態に従う充電パイルの一例示プロセッサを図示するブロック図である。
【図１１】この開示のいくつかの実施形態に従う電動乗り物を充電するための一例示プロセスを図示するフローチャートである。
【図１２】この開示のいくつかの実施形態に従うクライアント端末の一例示プロセッサを図示するブロック図である。
【図１３】この開示のいくつかの実施形態に従う電動乗り物を充電するための一例示プロセスを図示するフローチャートである。
【図１４】この開示のいくつかの実施形態に従う、電動乗り物を充電するための一例示プロセスを図示するフローチャートである。
【図１５】この開示のいくつかの実施形態に従う、電動乗り物を充電するための一例示プロセスを図肢するフローチャートである。
【図１６】この開示のいくつかの実施形態に従う充電プロセスを図示する概略図を示す。
【発明を実施するための形態】
【００３８】
以下の記述は、当業者がこの開示を制作し、使用するために提示され、特定のアプリケーションおよびその要件のコンテキストにおいて提供される。開示した実施形態に対する種々の変更は、当業者には容易であり、ここに定義された一般的原理は、この開示の精神と範囲から逸脱することなく他の実施形態およびアプリケーションに適用することができる。したがって、この開示は、図示した実施形態に限定されるものではなく、請求項に一致する最も広い範囲に一致する。
【００３９】
ここに使用される用語は、特定の例示実施形態のみを記載する目的のためのものであり、限定することを意図しない。ここで使用されるように、単数形「１つ（a）」、「１つ（an）」、「その（the）」は、コンテキストが明瞭にそうでないと示さない限り、同様に複数の形態を含むように意図することができる。さらに、用語「備える（comprise）」、「備える（comprises）」、および／または「備える（comprising）」、「含む（include）」、「含む（includes）」、および／または「含む（including）」は、この明細書で使用されるとき、述べられた特徴、整数、ステップ、動作、エレメント、および／またはコンポーネントの存在を指定するが、１つまたは複数の他の特徴、整数、ステップ、動作、エレメント、コンポーネント、および／またはそれらのグループの存在または追加を排除するものではない。
【００４０】
この開示のこれらのおよび他の特徴、および特性、並びに、構造の関連するエレメントの動作および機能の豊富、パーツの組み合わせ、および製造の経済性は、この開示の一部を形成する添付図面を参照して以下の記述を考慮することにより、より一層明瞭になり得る。しかしながら、図面は、例示および記載目的のためだけであり、この開示の範囲を限定することを意図したものではない。図面は縮尺どおりではないことが理解されよう。
【００４１】
この開示で使用されるフローチャートは、この開示のいくつかの実施形態に従ってシステムがインプリメントされる動作を例示する。フローチャートの動作は、順不同にインプリメントすることができることが明瞭に理解される。反対に、動作は、逆の順序でインプリメントしてもよいし、同時にインプリメントしてもよい。さらに、１つまたは複数の他の動作を、フローチャートに追加してもよい。１つまたは複数の動作は、フローチャートから除去してもよい。
【００４２】
さらに、この開示におけるシステムと方法は、主に、クエリー（query）を処理することに関して記載されているが、これは一例示実施形態に過ぎないことに留意する必要がある。この開示のシステムまたは方法は、任意の他の種類の検索サービスに適用することができる。例えば、この開示のシステムまたは方法は、陸、海、航空宇宙等の輸送システム、あるいはそれらの組み合わせに適用することができる。輸送システムの乗り物は、タクシー、プライベートカー、ヒッチ（hitch）、バス、電車、新幹線、高速鉄道、地下鉄、船舶、航空機、宇宙船、熱気球、無人走行車、等またはそれらの組み合わせを含むことができる。輸送システムは、また、例えば、管理および／または輸送のための任意の輸送システム、例えば、エクスプレスを送信および／または受信するためのシステムを含むことができる。この開示のシステムまたは方法のアプリケーションは、ウェブページ、ブラウザのプラグイン、クライアント端末、カスタムシステム、内部分析システム、人工知能ロボット等、またはそれらの組み合わせを含むことができる。
【００４３】
この開示における用語「乗客」、「要求者」、「サービス要求者」、および「カスタマー」は、サービスを要求または注文することが出来る個人、またはエンティティに言及するように交換可能に使用される。また、この開示における「ドライバ」、「プロバイダ」、「サービスプロバイダ」は、サービスを提供し、またはサービスの提供を容易にする個人、エンティティ、またはツールに言及するように交換可能に使用される。この開示における用語「ユーザ」は、サービスを要求し、またはサービスを注文し、またはサービスを提供し、またはサービスの提供を容易にすることができる個人、エンティティに言及することができる。例えば、ユーザは、乗客、ドライバ、オペレータ等、またはそれらの任意の組み合わせであり得る。この開示において、「乗客」、「ユーザ機器」、「クライアント端末」、および「乗客端末」は、交換可能に使用することができ、「ドライバ」、「ドライバ端末」は、交換可能に使用することができる。
【００４４】
用語「サービス要求」は、ユーザ（例えば、乗客、要求者、オペレータ、サービス要求者、カスタマー、ドライバ、プロバイダ、サービスプロバイダ、サプライヤー）により開始することができる要求に言及する。例えば、サービス要求は、充電ステーション推奨に関連することができる。他の例として、サービス要求は、充電パイルを使用する電動乗り物に関連することができる。
【００４５】
このシステムは、多くの分野、例えば、タクシー輸送サービス、ドライビングアプリケーション、配送アプリケーション、地図アプリケーション、またはナビゲーションアプリケーション等にアプリケーションを見出すことができる。
【００４６】
この開示の一態様は、オンラインツーオフラインサービスに関連する。システムは、クライアント端末から充電ステーション推奨の要求を受信することができる。システムは、クライアント端末の事前設定された距離範囲内に少なくとも１つの充電ステーションを決定することができる。システムは、１つまたは複数の評価パラメータに基づいて、少なくとも１つの充電ステーションの各々を評価することができる。１つまたは複数の評価パラメータは、少なくとも１つの充電ステーションの各々により提供される価格ディスカウント、少なくとも１つの充電ステーションとクライアント端末の各々との間の距離、少なくとも１つの充電ステーションの各々に事前設定された推奨値、または少なくとも１つの充電ステーションの各々の過去の評価の少なくとも１つを含む。システムは、少なくとも１つの充電ステーションの各々の評価と、少なくとも１つの充電ステーションの識別子をクライアント端末に送信することができる。
【００４７】
図１は、この開示のいくつかの実施形態に従う例示オンラインツーオフラインサービスシステム１００のブロック図である。例えば、オンラインツーオフラインサービス１００は、タクシーヘイリング、ショーファーサービス（chauffeur service）、エクスプレスカー、カープール、バスサービス、ドライバハイヤ、およびシャトルサービスのような輸送サービスのためのオンライン輸送サービスプラットフォームであり得る。さらに、オンライン輸送サービスプラットフォームは、電気自動車、電機オートバイ、電気自転車のような電動乗り物の、充電サービスプラットフォームを含むことができる。オンラインツーオフラインサービスシステム１００は、サーバ１１０、ネットワーク１２０、１つまたは複数のクライアント端末１３０、１つまたは複数の電気乗り物１４０、ストレージ１５０、および１つまたは複数の充電ステーション１６０を含むことができる。図１に示すオンラインツーオフラインサービスシステム１００は、単に一例であって、限定することを意図していない。
【００４８】
いくつかの実施形態において、サーバ１１０は、単一のサーバ、またはサーバグループであり得る。サーバグループは、集中型または分散型であり得る（例えば、サーバ１１０は、分散システムであり得る）。いくつかの実施形態において、サーバ１１０は、ローカルまたはリモートであり得る。例えば、サーバ１１０は、ネットワーク１２０を介して１つまたは複数のクラアイント端末１３０に記憶された情報および／又はデータをアクセスすることができる。他の例として、サーバ１１０は、１つまたは複数のクライアント端末１２０、ストレージ１５０、および／または１つまたは複数の充電ステーション１６０に直接接続して記憶した、情報および／またはデータをアクセスすることができる。いくつかの実施形態において、サーバ１１０は、クラウドプラットフォームにインプリメントすることができる。単なる例示として、クラウドプラットフォームは、プライベートクラウド、パブリッククラウド、ハイブリッドクラウド、コミュニティクラウド、ディストリビューテッドクラウド、インタークラウド、マルチクラウド等、またはそれらの任意の組み合わせを含むことができる。いくつかの実施形態において、サーバ１１０は、この開示の図１に図示した、１つまたは複数のコンポーネントを有するコンピューティングデバイス３００に、インプリメントすることができる。
【００４９】
いくつかの実施形態において、サーバ１１０は、１つまたは複数の処理デバイス１１２を含むことができる。処理デバイス１１２は、充電ステーション推奨および／または充電管理に関連する情報および／またはデータを処理し、この開示に記載された１つまたは複数の機能を実行することができる。例えば、処理デバイス１１２は、クライアント端末１２０から充電ステーション推奨の要求を受信することができる。処理デバイス１１２は、充電ステーション推奨の要求に基づいて、１つまたは複数の充電ステーションを決定し、決定した１つまたは複数の充電ステーションを、クライアント端末１３０に送信することができる。他の例として、処理デバイス１１２は、電動乗り物（例えば、電気自動車１４０−１）を充電するための要求を、充電ステーション１６０における充電パイルから受け取ることができる。処理デバイス１１２は、充電パイルを制御して、電動乗り物を充電することができる。処理デバイス１１２に関する、さらに多くの記述をこの開示のどこかに（例えば、図４とその記述）見つけることができる。
【００５０】
いくつかの実施形態において、処理デバイス１１２は、１つまたは複数の処理エンジン（例えば、シグナルコア処理エンジン（複数の場合もある）またはマルチコアプロセッサ（複数の場合もある））を含むことができる。単なる例示として、処理デバイス１１２は、中央処理装置（ＣＰＵ）、特定用途集積回路（ＡＳＩＣ）、特定用途命令セットプロセッサ（ＡＳＩＰ）、グラフィクスプロセッシングユニット（ＧＰＵ）、物理プロセッシングユニット（ＰＰＵ）、デジタル信号プロセッサ（ＤＳＰ）、フィールドプログラマブルゲートアレイ（ＦＰＧＡ）、プログラマブルロジックデバイス（ＰＬＤ）、コントローラ、マイクロコントローラユニット、縮小命令セットコンピュータ（ＲＩＳＣ）、マイクロプロセッサ等、またはそれらの任意の組み合わせを含むことができる。
【００５１】
ネットワーク１２０は、情報および／またはデータの交換を容易にすることができる。いくつかの実施形態において、オンラインツーオフラインサービスシステム１００における１つまたは複数のコンポーネント（例えば、サーバ１１０、１つまたは複数のクライアント端末１３０、またはストレージ１５０）は、情報および／またはデータを、ネットワーク１２０を介して、オンラインツーオフラインサービスシステム１００内の他のコンポーネント（複数の場合もある）に送信することができる。例えば、サーバ１１０は、ネットワーク１２０を介してクライアント端末１３０からサービス要求を取得／獲得することができる。いくつかの実施形態において、ネットワーク１２０は、任意のタイプの有線または無線ネットワークであるか、またはそれらの任意の組み合わせであり得る。単なる例示として、ネットワーク１２０は、ケーブルネットワーク、有線ネットワーク、光ファイバネットワーク、テレコミュニケーションネットワーク、イントラネット、インターネット、ローカルエリアネットワーク（ＬＡＮ）、ワイドエリアネットワーク、公衆交換電話網（ＰＴＳＮ）、ブルートゥースネットワーク、ＺｉｇＢｅｅネットワーク、近距離無線通信（ＮＦＣ）ネットワーク等、またはそれらの任意の組み合わせを含むことができる。いくつかの実施形態において、ネットワーク１２０は、１つまたは複数のネットワークアクセスポイントを含むことができる。例えば、ネットワーク１２０は、データおよび／または情報を交換するために、オンラインツーオフラインサービスシステム１００の、１つまたは複数のコンポーネントがネットワーク１２０に接続することができる基地局および／またはインターネット交換ポイント１２０−１、１２０−２、・・・のような有線または無線のネットワークアクセスポイントを含むことができる。
【００５２】
いくつかの実施形態において、クライアント端末１３０は、モバイルデバイス１３０−１、タブレットコンピュータ１３０−２、ラップトップコンピュータ１３０−３、電動乗り物１３０−４の内蔵デバイス等、またはそれらの任意の組み合わせを含むことができる。いくつかの実施形態において、クライアント端末１３０は、処理デバイス１１２と、クライアント端末１３０に関連づけられたユーザとの間の通信および／または相互作用を容易にすることができる。例えば、クライアント端末１３０は、ユーザインタフェースを介してユーザにより入力された入力に基づいて充電ステーション推奨の要求を生成することができる。処理デバイス１１２は、クライアント端末１３０から充電ステーション推奨の要求を受信することができる。他の例として、処理デバイス１１２は、ユーザに表示されるクライアント端末１３０に、１つまたは複数の充電ステーションを送信することができる。
【００５３】
いくつかの実施形態において、クライアント端末１３０は、充電ステーション１６０の充電パイルに接続し、および／または通信することができる。例えば、クライアント端末１３０は、充電パイルが電動乗り物に接続された後で、クライアント端末１３０にインプリメントされたデータ交換ポートを介して、充電パイルから充電プロンプトと関連付けプロンプトを受信することができる。クライアント端末１３０は、ユーザインタフェースを介してユーザにより入力されたユーザ相互作用に従う充電プロンプトに基づいて、電動乗り物を充電する充電要求を生成することができる。クライアント端末１３０は、関連付けプロンプトに基づいて、クライアント端末を充電管理デバイスに接続するための関連付け要求を、生成することができる。クライアント端末１３０は、充電要求と関連付け要求を充電パイルに送信し、充電パイルに充電要求と関連づけ要求を処理デバイス１１２に送信させることができる。
【００５４】
いくつかの実施形態において、モバイルデバイス１３０−１は、スマートホームデバイス、ウェアラブルデバイス、スマートモバイルデバイス、バーチャルリアリティデバイス、オーグメンテッドリアリティデバイス（augmented reality device）等、またはそれらの任意の組み合わせを含むことができる。いくつかの実施形態において、スマートホームデバイスは、スマート照明デバイス、インテリジェント電気装置の制御デバイス、スマートモニタリングデバイス、スマートテレビジョン、スマートビデオカメラ、インターフォン等、またはそれらの組合せを含むことができる。いくつかの実施形態において、ウェアラブルデバイスは、スマートブレスレット、スマートフットギア、スマートグラス、スマートヘルメット、スマートウォッチ、スマートクロージング（smart clothing）、スマートバックパック、スマートアクセサリ等、またはそれらの任意の組み合わせを含む。いくつかの実施形態において、スマートモバイルデバイスは、スマートフォン、パーソナルデジタルアシスタンツ（ＰＤＡ）、ゲーミングデバイス、ナビゲーションデバイス、ポイントオブセール（ＰＯＳ）デバイス等、またはそれらの任意の組み合わせを含む。いくつかの実施形態において、バーチャルリアリティデバイスおよび／またはオーグメンテッドリアリティデバイスは、バーチャルリアリティヘルメット、バーチャルリアリティグラス、バーチャルリアリティパッチ、オーグメンテッドリアリティヘルメット、オーグメンテッドリアリティグラス、オーグメンテッドリアリティパッチ等、またはそれらの任意の組合せを含むことができる。例えば、バーチャルリアリティデバイスおよび／またはオーグメンテッドリアリティデバイスは、グーグルグラス（Google Glass）、オキュラスリフト（Oculus Rift）、ホロレンズ（Hololens）、ギアＶＲ等を含むことができる。いくつかの実施形態において、電動乗り物１３０−４の内蔵デバイスは、オンボードコンピュータ、オンボードテレビジョン等を含むことができる。いくつかの実施形態において、クライアント端末１３０９は、サービス要求者および／またはクライアント端末１３０の位置を突き止めるための位置決め技術を有したデバイスであり得る。
【００５５】
１つまたは複数の電動乗り物１４０は１つまたは複数の電動乗り物（例えば、電気自動車１４０−１、電気自動車１４０−２等）、１つまたは複数の電動機１４０−３、１つまたは複数のパワーアシスト自転車１４０−４等、またはそれらの組み合わせを含むことができる。電動乗り物１４０は、他の電動乗り物と区別するように構成された識別子を含むことができる。電動乗り物１４０の識別子は、乗り物タイプ、乗り物ブランド、乗り物ライセンス、乗り物ナンバー等、またはそれらの組み合わせを含むことができる。クライアント端末１３０に関連する情報は、クライアント端末１３０に関連する識別情報（例えば、モバイルフォンのＭＡＣアドレス）、クライアント端末に関連づけられた電子銀行口座１３０等、または、それらの組合せを含むことができる。
【００５６】
ストレージ１５０は、データおよび／または命令を記憶することができる。いくつかの実施形態において、ストレージ１５０は、１つまたは複数のクライアント端末から取得したデータを記憶することができる。例えば、ストレージ１５０は、充電ステーション推奨及び／またはクライアント端末１３０からの電動乗り物を充電する要求を、記憶することができる。他の例として、ストレージ１５０は、電動乗り物１４０に関連する乗り物情報を記憶することができる。いくつかの実施形態において、ストレージ１５０は、この開示に記載された例示方法を実行または使用することができる、データ及び／または命令を記憶することができる。いくつかの実施形態において、ストレージ１５０は、マスストレージ、リムーバブルストレージ、揮発性リードアンドライトメモリ、リードオンリメモリ（ＲＯＭ）等、またはそれらの任意の組み合わせを含むことができる。例示マスストレージは、磁気ディスク、光ディスク、ソリッドステートドライブ等を含むことができる。例示リムーバブルストレージは、フラッシュドライブ、フロッピーディスク、光ディスク、メモリカード、ジップディスク、磁気テープなどを含むことができる。例示揮発性リードアンドライトメモリは、ランダムアクセスメモリ（ＲＡＭ）を含むことができる。例示ＲＡＭは、ダイナミックＲＡＭ（ＤＲＡＭ）、ダブルデートレート同期ダイナミックＲＡＭ（ＤＤＲ  ＳＤＲＡＭ）、スタティックＲＡＭ（ＳＲＡＭ）、サイリスタＲＡＭ（Ｔ−ＲＡＭ）、およびゼロキャパシタＲＡＭ（Ｚ−ＲＡＭ）等を含むことができる。例示ＲＯＭは、マスクＲＯＭ（ＭＲＯＭ）、プログラマブルＲＯＭ（ＰＲＯＭ）、イレーザブルプログラマブルＲＯＭ（ＥＰＲＯＭ）、電気的消去可能プログラマブルＲＯＭ（ＥＥＰＲＯＭ）、コンパクトディスクＲＯＭ(CD-ROM）、およびデジタルバーサタイルディスクＲＯＭ等を含むことができる。いくつかの実施形態において、ストレージ１５０は、クラウドプラットフォーム上にインプリメントすることができる。単なる例示として、クラウドプラットフォームは、プライベートクラウド、パブリッククラウド、ハイブリッドクラウド、コミュニティクラウド、ディストリビューテッドクラウド、インタークラウド、マルチクラウド等、またはそれらの任意の組み合わせを含むことができる。
【００５７】
いくつかの実施形態において、ストレージ１５０はネットワーク１２０に接続して、オンラインツーオフラインシステム１００（例えば、サーバ１１０、１つまたは複数のクライアント端末等）内の１つまたは複数のコンポーネントに通信することができる。オンラインツーオフラインサービスシステム１００内の１つまたは複数のコンポーネントは、ネットワーク１２０を介してストレージ１５０に記憶されたデータ／及びまたは命令に、アクセスすることができる。いくつかの実施形態において、ストレージ１５０はオンラインツーオフラインサービスシステム１００（例えば、サーバ１１０、１つまたは複数のクライアント端末等）内の１つまたは複数のコンポーネントに、直接接続することができるか、または通信することができる。いくつかの実施形態において、ストレージ１５０は、サーバ１１０の一部であり得る。
【００５８】
いくつかの実施形態において、オンラインツーオフラインサービスシステム１００（例えば、サーバ１１０、１つまたは複数のクライアント端末等）内の１つまたは複数のコンポーネントは、ストレージ１５０へアクセスする許可を有することができる。いくつかの実施形態において、オンラインツーオフラインサービスシステム１００内の１つまたは複数のコンポーネントは、１つまたは複数の条件が適合されたとき、クライアント端末１３０に関連する情報を読み取りおよび／または変更することが可能である。例えば、サーバ１１０はサービス（例えば、充電サービス）後に、１つまたは複数のユーザの情報を読み取り、および／または変更することができる。
【００５９】
いくつかの実施形態において、オンラインツーオフラインサービスシステム１００の１つまたは複数のコンポーネントの情報交換は、サーチサービスを要求することにより達成することができる。サーチサービス要求のオブジェクトは、任意のプロダクトであり得る。いくつかの実施形態において、プロダクトは、有形のプロダクトまたは無形のプロダクトであり得る。有形のプロダクトは、食料、医薬品、日用品、化学製品、電気機器、衣服、車、ハウジング、ぜいたく品等、またはそれらの任意の組み合わせを含むことができる。無形の製品は、サービス製品、金融製品、知識製品、インターネット製品等、またはそれらの任意の組み合わせを含むことができる。インターネット製品は、個々のホスト製品、ウェブ製品、モバイルインターネット製品、商用ホスト製品、埋め込み製品など、またはそれらの任意の組み合わせを含み得る。モバイルインターネット製品は、モバイル端末のソフトウェア、プログラム、システム等、またはそれらの任意の組み合わせに使用することができる。モバイル端末は、タブレットコンピュータ、ラップトップコンピュータ、モバイルフォン、パーソナルデジタルアシスタント（ＰＤＡ）、スマートウォッチ、ポイントオブセール（ＰＯＳ）デバイス、オンボードコンピュータ、オンボードテレビジョン、ウェアラブルデバイス等、またはそれらの任意の組み合わせを含むことができる。例えば、プロダクトは、コンピュータまたはモバイルフォンで使用される任意のソフトウェア及び/またはアプリケーションであり得る。ソフトウェアおよび／またはアプリケーションは、社交、買い物、輸送、娯楽、学習、投資など、またはそれらの任意の組み合わせに関係し得る。いくつかの実施形態において、輸送に関連するソフトウェア及び／またはアプリケーションは、旅行ソフトウェア及び／またはアプリケーション、乗り物スケジューリングソフトウェア及び／またはアプリケーション、マッピングソフトウェア及び／またはアプリケーション等を含むことができる。ソフトウェアおよび(または)適用を予定する乗り物では、乗り物は馬、キャリッジ、人力車(例えば手押し車、バイク、三輪車など)、自動車(例えばタクシー、バス、自家用車等)、列車、地下鉄、容器、航空機または同種のもの(例えば飛行機、ヘリコプター、スペースシャトル、ロケット、熱気球等)等、あるいはそれの任意の組み合わせを含むことができる。
【００６０】
充電ステーション１６０は、電動乗り物（例えば、電気自動車１４０）を充電するように構成された、１つまたは複数の充電パイルを含むことができる。いくつかの実施形態において、充電パイルは、少なくとも１つのプロセッサ、少なくとも１つのストレージデバイス、およびネットワーク１２０に通信可能に接続されたデータ交換ポートを有することができる。いくつかの実施形態において、充電パイル（例えば、少なくとも１つのプロセッサ）は、充電パイルが電動乗り物に接続されているかどうかを判断することができる。充電パイルは、充電パイルが電動乗り物に接続されているとの判断に応答して、電動乗り物に関連づけられたクライアント端末を決定することができる。充電パイルは、充電プロンプトと関連づけプロンプトを、クライアント端末に送信することができる。充電パイルは、充電パイルにおいて電動乗り物を充電するための充電要求と、クライアント端末を充電管理デバイス（例えば、処理デバイス１１２）に接続するための関連づけ要求を、クライアント端末から受信することができる。充電パイルは、充電要求と関連づけ要求を、データ交換ポートを介して、充電管理デバイス（例えば、処理デバイス１１２）に送信することができる。いくつかの実施形態において、充電パイルは、少なくとも１つのプロセッサにより充電管理デバイス（例えば、処理デバイス１１２）から充電情報を受信し、充電情報に基づいて、少なくとも１つのプロセッサにより、充電パイルを操作して電動乗り物を充電することができる。充電情報は、１つまたは複数の充電パラメータ、例えば、充電量、充電パーセンテージ、充電期間等を含むことができる。
【００６１】
当業者は、オンラインツーオフラインサービスシステム１００のエレメントが作動するとき、エレメントは、電気信号及び／または電磁気信号を介して作動することができることを理解するであろう。例えば、クライアント端末１３０は、オブジェクトを判断し、識別し、または選択するようなタスクを処理するとき、クライアント端末１３０は、そのようなタスクを処理するためにプロセッサ内の論理回路を動作させることができる。クライアント端末１３０が要求（例えば、充電要求、充電ステーション推奨要求等）をサーバ１１０に送信するとき、クライアント端末１３０のプロセッサはその要求を符号化する電気信号を発生することができる。クライアント端末１３０のプロセッサは、電気信号を出力ポートに送信することができる。有線ネットワークを介してクライアント端末１３０がサーバ１１０と通信する場合、出力ポートをケーブルに物理的に接続することができ、ケーブルはさらに、電気信号をサーバ１１０の入力ポートに送信することができる。クライアント端末１３０が、無線ネットワークを介してサーバ１１０と通信する場合、クライアント端末１３０の出力ポートは、電気信号を電磁気信号に変換する、１つまたは複数のアンテナであり得る。同様に、クライアント端末１３０は、プロセッサ内の論理回路の動作を介して、タスクを処理することができ、電気信号または電磁気信号を介して、サーバ１１０から命令及び／またはサービス要求を受信することができる。クライアント端末１３０のような電子デバイス内では、プロセッサが命令を処理すると、充電パイル１６０および／またはサーバ１１０は命令を送信し、および／またはアクションを実行し、命令および／またはアクションは電気信号を介して行われる。例えば、プロセッサがストレージ媒体からデータを検索またはセーブするとき、電気信号をストレージ媒体のリード／ライトデバイスに送信し、ストレージ媒体内の構造化データを、リードまたはライトすることができる。構造化データを電子デバイスのバスを介して電気信号の形態でプロセッサに送信することができる。ここでは、電気信号は、１つの電気信号、一連の電気信号、および／または複数の離散電気信号を指すことができる。
【００６２】
図２は、この開示に開示された特定システムをインプリメントするように構成された例示モバイルデバイスのブロック図である。いくつかの実施形態において、ロケーションに関連した情報を表示および通信するように構成されたクライアント端末デバイスは、モバイルデバイス２００であり得る。モバイルデバイスは、これらに限定されないが、スマートフォン、タブレットコンピュータ、ミュージックプレイヤー、ポータブルゲームコンソール、ＧＰＳ受信機、ウェアラブル計算デバイス（例えば、メガネ、ウォッチ等）等を含むことができる。モバイルデバイス２００は、１つまたは複数の中央処理装置（ＣＰＵｓ）、１つまたは複数のグラフィクス処理ユニット（ＧＰＵｓ）、ディスプレイ２２０、メモリ２６０、通信ユニット２１０、ストレージユニット２９０、および１つまたは複数の入出力（Ｉ／Ｏ）デバイス２５０を含むことができる。さらに、モバイルデバイス２００はまた、これに限定されないが、システムバスまたはコントローラ（図２に図示せず)を含む任意の他の適切なコンポーネントであり得る。図２に示すように、モバイルオペレーティングシステム２７０（例えば、ＩＯＳ、Ａｎｄｒｏｉｄ、ＷｉｎｄｏｗｓＰｈｏｎｅ等）および１つまたは複数のアプリケーション２８０は、ストレージユニット２９０からメモリ２６０にロードすることができ、ＣＰＵｓによりインプリメントすることができる。アプリケーション２８０は、モバイルデバイス２００内のユーザにより入力された問い合せ（例えば、ロケーションの名称）に関連する情報を検索し、処理するように構成されたブラウザまたは他のモバイルアプリケーションを含むことができる。ユーザは、システムＩ／Ｏデバイス２５０を介して、１つまたは複数のサーチ結果に関連する情報を、取得することができ、サーバ１１０及び／またはオンラインツーオフラインサービスシステム１００（例えば、ネットワーク１２０）の他のモジュールまたはユニットに、供給することができる。
【００６３】
上述した種々のモジュール、ユニット及び機能をインプリメントするために、コンピュータハードウェアプラットフォームは、１つまたは複数のエレメント（例えば、サーバ１１０及び／または図１乃至図１６に記載したオンラインツーオフラインサービスシステム１００の他のセクション）のハードウェアプラットフォームとして使用することができる。これらのハードウェアエレメント、オペレーティングシステム、およびプログラム言語は、一般的なので、当業者は、これらの技術をよく知っているので、これらの技術がこの開示で記載した技術によるオンラインツーオフラインサービスに必要な情報を提供することができるとみなすことができる。ユーザインタフェースを備えたコンピュータは、パーソナルコンピュータ（PC)、または他のタイプのワークステーションまたは端末デバイスとして使用することができる。適切にプログラムされた後で、ユーザインタフェースを備えたコンピュータは、サーバとして使用することができる。当業者はまた、この種のコンピュータデバイスの構造、プログラム、または一般的な動作に精通していると考えられる。従って、図面に対するさらなる説明は記載しない。
【００６４】
図３は、この開示のいくつかの実施形態による、サーバ１１０、クライアント端末１３０、および充電ステーション１６０をインプリメントすることができるコンピューティングデバイスの例示ハードウェアおよびソフトウェアコンポーネントを図示するブロック図である。コンピューティングデバイス３００は、この開示に記載されたサーバ１１０、クライアント端末１３０、および充電ステーション１６０の１つまたは複数の機能を実行するように構成することができる。例えば、処理デバイス１１２は、コンピューティングデバイス３００上にインプリメントすることができ、この開示に開示された処理デバイス１１２の機能を実行するように構成することができる。
【００６５】
コンピューティングデバイス３００は、汎用コンピュータまたは特殊コンピュータであり得、両方とも、この開示に関するオンラインツーオフラインサービスシステム１００をインプリメントするのに使用することができる。コンピューティングデバイス３００は、ここに記載したオンラインツーオフラインサービスシステム１００の任意のコンポーネントをインプリメントするために使用することができる。例えば、処理デバイス１１２は、そのハードウェア、ソフトウェアプログラム、ファームウェア、またはそれらの組み合わせを介して、コンピューティングデバイス３００上にインプリメントすることができる。便宜的に、ただ一つのそのようなコンピュータが示されているけれども、ここに記載したサーチサービスに関連するコンピュータ機能は、処理負荷を分散するために、多数の類似のプラットフォーム上に分散した態様で、インプリメントすることができる。
【００６６】
例えば、コンピューティングデバイス３００は、データ通信を容易にするために、ネットワークへ、およびネットワークから接続されたＣＯＭポート２５０を含むことができる。コンピューティングデバイス３００はまた、プログラム命令を実行するための１つまたは複数のプロセッサの形態の、プロセッサ３２０を含むことができる。例示コンピューティングプラットフォームは、コンピュータにより処理され、および／または送信される種々のデータファイルのための、内部通信バス３１０、異なる形態のプログラムストレージおよびデータストレージ、例えば、ディスク３７０、リードオンリメモリ（ＲＯＭ）３３０、またはランダムアクセスメモリ（ＲＡＭ）３４０を含むことができる。例示コンピュータプラットフォームは、またプロセッサ３２０により実行される、ＲＯＭ３３０、ＲＡＭ３４０、および／または他のタイプの非一時的ストレージ媒体に記憶されたプログラム命令を含むことができる。この開示の方法および／またはプロセスは、プログラム命令としてインプリメントすることができる。コンピューティングデバイス３００は、また、コンピュータと他のコンポーネントとの間の入出力をサポートする、Ｉ／Ｏコンポーネント３６０を含むことができる。コンピューティングデバイス３００は、またネットワーク通信を介してプログラミングとデータを受信することもできる。
【００６７】
コンピューティングデバイス３００は、また、ハードディスクと通信するハードディスクコントローラ、キーパッド／キーボードと通信するキーパッド／キーボードコントローラ、シリアル周辺機器と通信するシリアルインタフェースコントローラ、パラレル周辺機器と通信するパラレルインタフェースコントローラ、ディスプレイと通信するディスプレイコントローラ等、またはそれらの任意の組み合わせを含むことができる。
【００６８】
単なる図示のために、コンピューティングデバイス３００には、１つのＣＰＵおよび／またはプロセッサのみが記載されている。しかしながら、この開示のコンピューティングデバイス３００は、複数のＣＰＵｓおよび／またはプロセッサを含むことができるので、この開示に記載した１つのＣＰＵおよび／またはプロセッサにより実行される動作および／または方法ステップは、複数のＣＰＵｓおよび／またはプロセッサにより、一緒にまたは別個に実行することもできる。たとえば、この開示において、コンピューティングデバイス３００のＣＰＵおよび／またはプロセッサが動作Ａおよび動作Ｂを両方実行する場合、動作Ａ及び動作Ｂは、コンピューティングデバイス３００内の異なるＣＰＵｓ及び／またはプロセッサにより、一緒にまたは別個に実行することもできる（例えば、第１のプロセッサＡが動作Ａを実行し、第２のプロセッサが動作Ｂを実行するか、または、第１と第２のプロセッサが動作ＡとＢを一緒に実行する）。
【００６９】
図４は、この開示のいくつかの実施形態による例示サーバ１１０を図示するブロック図である。サーバ１１０は、充電ステーション推奨デバイス４１０および充電管理デバイス４２０のような１つまたは複数の処理デバイスを含むことができる。
【００７０】
充電ステーション推奨デバイス４１０は、少なくとも１つの充電ステーションをクライアント端末１３０にプッシュ（push）するように構成することができる。例えば、充電ステーション推奨デバイス４１０は、クライアント端末から充電ステーション推奨要求を受信することができる。充電ステーション推奨デバイス４１０は、クライアント端末１３０内の事前設定された距離範囲内に、少なくとも１つの充電ステーションを決定することができ、１つまたは複数の評価パラメータに基づいて、少なくとも１つの充電ステーションの各々を評価することができる。１つまたは複数の評価パラメータは、少なくとも１つの充電ステーションの各々により提供される価格ディスカウント、少なくとも１つの充電ステーションの各々とクライアント端末との間の距離、少なくとも１つの充電ステーションの各々に関する事前設定された推奨値、または少なくとも１つの充電ステーションの各々の過去の評価の少なくとも１つを含むことができる。充電ステーション推奨デバイス４１０は、少なくとも１つの充電ステーションの各々の評価と少なくとも１つの充電ステーションの各々の識別子をクライアント端末１３０に送信することができる。例えば、充電ステーション推奨デバイス４１０は、少なくとも１つの充電ステーションの評価に従って、降べきの順に少なくとも１つの充電ステーションを、ソートすることができる。充電ステーション推奨デバイス４１０は、ソートされた少なくとも１つの充電ステーションの各々の評価と、ソートされた少なくとも１つの充電ステーションの各々の識別子を表示のために、クライアント端末に送信することができる。他の例として、充電ステーション推奨デバイス４１０は、少なくとも１つの充電ステーションの各々が事前設定されたしきい値以上かどうかを判断することができる。充電ステーション推奨デバイス４１０は、評価が事前設定されたしきい値以上であるとの判断に応答して、少なくとも１つの充電ステーションの各々の識別子を表示のためにクライアント端末に送信することができる。
【００７１】
充電管理デバイス４２０は、電動乗り物１４０の充電を制御するように構成することができる。たとえば、充電管理デバイス４２０は、クライアント端末と充電管理デバイスを接続するための充電要求と、関連づけ要求を充電パイルから受信することができる。充電管理デバイス４２０は、充電要求に基づいてクライアント端末に関連づけられた電動乗り物を充電するための、充電情報を決定することができる。充電管理デバイス４２０は、関連づけ要求に基づいて充電管理デバイスと、クライアント端末との間の接続を確立することができる。充電管理デバイス４２０は、充電情報に基づいて、電動乗り物を充電するために、充電情報を充電パイルに送信することができる。
【００７２】
上述した記述は、単に図示目的のために提供され、この開示の範囲を限定することを意図したものではないことに留意する必要がある。当業者には、この開示の教示に基づいて、複数の変形および変更を行うことができる。しかしながら、これらの変形および変更は、この開示の範囲から逸脱しない。例えば、充電ステーション推奨デバイス４１０と充電管理デバイス４２０は２つの別個のサーバによりインプリメントすることができる。
【００７３】
図５は、この開示のいくつかの実施形態による電動乗り物を充電するための例示プロセス５００を図示するフローチャートである。プロセス５００は、オンラインツーオフラインサービスシステム１００により実行することができる。例えば、プロセス５００は、ストレージデバイス１５０に記憶された命令のセット（例えば、アプリケーション）としてインプリメントすることができる。処理デバイス１１２は、命令のセットを実行することができ、命令を実行すると、プロセス５００を実行するように構成することができる。以下に提示される図示されるプロセスの動作は、例示を意図したものである。いくつかの実施形態において、プロセス５００は、記載していいない１つまたは複数のさらなる動作で、および／または上述した動作の１つまたは複数なしで、達成することができる。さらに、図５に示され、以下に記載されるプロセスが動作する順番は、限定することを意図したものではない。
【００７４】
ステップ５１０において、処理デバイス１１２（例えば、充電ステーション推奨デバイス４１０）は、クライアント端末（例えば、クライアント端末１３０）から充電ステーション推奨に関する要求を受信することができる。いくつかの実施形態において、充電ステーション推奨に関する要求は、クライアント端末のユーザインタフェース（例えば、アプリケーション）を介してユーザにより入力された入力に基づいて、クライアント端末により生成することができる。クライアント端末は、充電要求を、ネットワーク１２０を介して処理デバイス１１２へ送信することができる。
【００７５】
ステップ５２０において、処理デバイス１１２（例えば、充電ステーション推奨デバイス４１０）は、少なくとも１つの充電ステーションに関する情報を、クライアント端末に送信することができる。クライアント端末への少なくとも１つの充電ステーションに関する情報は、少なくとも１つの充電ステーションの評価、少なくとも１つの充電ステーションの識別子、少なくとも１つの充電ステーションのアドレス等を含むことができる。処理デバイス１１２（例えば、充電ステーション推奨デバイス４１０）は、充電ステーション推奨に関する要求に応答してクライアント端末の事前設定された距離範囲内の少なくとも１つの充電ステーションを決定することができる。いくつかの実施形態において、処理デバイス１１２（例えば、充電ステーション推奨デバイス４１０）は、少なくとも１つの充電ステーションに関連した情報をクライアント端末に送信することができる。いくつかの実施形態において、処理デバイス１１２（例えば、充電ステーション推奨デバイス４１０）は、１つまたは複数の評価パラメータに基づいて、少なくとも１つの充電ステーションの各々を評価することができる。１つまたは複数の評価パラメータは、少なくとも１つの充電ステーションの各々により提供された価格ディスカウント、少なくとも１つの充電ステーションとクライアント端末との間の距離、少なくとも１つの充電ステーションの各々に関する事前設定された推奨値、少なくとも１つの充電ステーションの各々の過去の評価等、またはそれらの組み合わせを含むことができる。処理デバイス１１２（例えば、充電ステーション推奨デバイス４１０）は、少なくとも１つの充電ステーションの各々の評価と、少なくとも１つの充電ステーションの各々の識別子をクライアント端末に送信することができる。少なくとも１つの充電ステーションをクライアント端末１３０に送信するためのさらなる記述は、この開示のどこかに見出すことが出来る（例えば、図７とその記述）。
【００７６】
ステップ５３０において、処理デバイス１１２（例えば、充電管理デバイス４２０）は、少なくとも１つの充電ステーションの目標充電ステーションにおける充電パイルから電動乗り物に対する充電要求を受信することができる。いくつかの実施形態において、目標充電ステーションは、ステップ５２０で決定された少なくとも１つの充電ステーションからユーザにより手動で選択することができる。いくつかの実施形態において、目標充電ステーションは、処理デバイス１１２により自動的に決定することができる。例えば、ユーザまたはクライアント端末から最も近い充電ステーションを目標充電ステーションとして決定することができる。他の例として、処理デバイス１１２は、最も高い評価を有する充電ステーションを、目標充電ステーションとして決定することができる。
【００７７】
充電要求は、充電される電動乗り物に関する乗り物情報を含むことができる。電動乗り物に関する乗り物情報は、電動乗り物のライセンス番号、電動乗り物のタイプ、電動乗り物の現在の余剰エネルギ（dump energy）、電動乗り物に関する充電器のタイプ等を含むことができる。いくつかの実施形態において、電動乗り物が充電パイルに接続されたとき、充電要求を充電パイルによって生成することができる。処理デバイス１１２（例えば、充電管理デバイス４２０）は、充電パイルから充電要求を受信することができる。いくつかの実施形態において、充電要求は、クライアント端末により生成することができる。処理デバイス１１２（例えば、充電管理デバイス４２０）は、クライアント端末から充電要求を受信することができる。
【００７８】
ステップ５４０において、処理デバイス１１０（例えば、充電管理デバイス４２０）は、電動乗り物を充電するために目標充電ステーションにおける充電パイルを動作させることができる。いくつかの実施形態において、処理デバイス１１２は、充電要求に基づいて電動乗り物を充電するための充電情報を決定することができ、その充電情報を充電パイルに送信することができる。充電情報は、１つまたは複数の基準充電パラメータ、例えば、基準充電量、基準充電パーセンテージ、基準充電期間、基準充電電圧、基準充電電流、基準充電料金等を含むことができる。例えば、処理デバイス１１２は、乗り物情報に基づいて電動乗り物を充電するための充電情報を決定することができる。充電パイルは、充電情報に基づいて電動乗り物を充電することができる。
【００７９】
いくつかの実施形態において、処理デバイス１１２（例えば、充電管理でばいす４２０）は、処理デバイス１１２とクライアント端末を接続するための関連づけ要求を受信することができる。処理デバイス１１２（例えば、充電管理デバイス４２０）は、関連づけ要求に基づいて、クライアント端末と処理デバイス１１２との間の接続を確立することができる。いくつかの実施形態において、処理デバイス１１２（例えば、充電管理デバイス４２０）は、電動乗り物に関する充電が完了するかどうかを判断することができる。電動乗り物に関する充電が完了したと処理デバイス１１２（例えば、充電管理デバイス４２０）が判断する場合、処理デバイス１１２（例えば、充電管理デバイス４２０）は、充電情報に対応する充電を決定し、充電料金を確立された接続に基づいて、クライアント端末に送信することができる。処理デバイス１１２（例えば、充電管理デバイス４２０）は、さらにクライアント端末から充電料金に関する支払い確認を受信すると、クライアント端末に関連づけられた電子金融口座から、充電料金を差し引くことができる。電動乗り物を充電するように充電パイルを制御するためのさらなる記述は、図９に記載したプロセス９００と関連づけることができる。
【００８０】
上述の記載は、単に例示目的のために提供されたものであり、この開示の範囲を限定することを意図したものではないことに留意する必要がある。当業者には、この開示の教示に基づいて、複数の変形および変更を行うことができる。しかしながら、これらの変形および変更は、この開示の範囲から逸脱しない。例えば、動作５３０および動作５４０は省略することができる。他の例として、動作５１０と動作５２０は省略することができる。
【００８１】
図６は、この開示のいくつかの実施形態による例示充電ステーション推奨デバイス４１０を図示するブロック図である。充電ステーション推奨デバイス４１０は、受信ユニット６１０、決定ユニット６２０、計算ユニット６３０、プッシュユニット（push unit）６４０、判断ユニット６５０を含むことができる。充電ステーション推奨デバイス４１０のユニットは、処理デバイス１１２の少なくとも一部のハードウェア回路であり得る。デバイス１４００のユニットは、処理デバイス１１２により読取られ実行されるアプリケーションあるいは命令のセットとしてインプリメントすることもできる。さらに、ユニットは、ハードウェア回路とアプリケーション／命令の任意の組み合わせであり得る。例えば、デバイス１４００のユニットは、処理デバイス１１２がアプリケーションまたは命令のセットを実行しているとき、処理デバイス１１２の一部であり得る。
【００８２】
受信ユニット６１０は、クライアント端末（例えば、クライアント端末１３０）から充電ステーション推奨に関する要求を受信するように構成することができる。充電ステーション推奨に関する要求は、クライアント端末（例えば、クライアント端末１３０）のユーザインタフェース上のユーザにより入力された入力に基づいてクライアント端末により生成することができる。
【００８３】
決定ユニット６２０は、クライアント端末の事前設定された距離範囲内の少なくとも１つの充電ステーションを決定するように構成することができる。事前設定された距離範囲は、オンラインツーオフラインサービスシステム１００のデフォルト設定に従って、またはユーザによって設定および／または調整することができる。例えば、事前設定された距離範囲内に、充電ステーションが無いまたは殆ど無いと、決定ユニット６２０が判断した場合、決定ユニット６２０はより多くの充電ステーションを決定するために事前設定された距離範囲を広げることができる。
【００８４】
計算ユニット６３０は、１つまたは複数のパラメータに基づいて少なくとも１つの充電ステーションの各々に関する評価を決定するように構成することができる。１つまたは複数の評価パラメータは、少なくとも１つの充電ステーションの各々により提供された価格ディスカウント、少なくとも１つの充電ステーションの各々とクライアント端末との間の距離、少なくとも１つの充電ステーションの各々に関する事前設定された推奨値、少なくとも１つの充電ステーションの各々の過去の評価等、またはそれらの組み合わせを含むことができる。いくつかの実施形態において、充電ステーションの評価は、それぞれ１つまたは複数の評価パラメータに対応する１つまたは複数の事前設定された重み付け値に基づいて決定することができる。
【００８５】
プッシュユニット６４０は、少なくとも１つの充電ステーションの各々の評価と、少なくとも１つの充電ステーションの各々の識別子をクライアント端末に送信することができる。プッシュユニット６４０は、所定のストラテジーに従って少なくとも１つの充電ステーションをプッシュすることができる。例えば、充電ステーション推奨デバイス４１０は、少なくとも１つの充電ステーションの評価を降べきの順、あるいは昇べきの順にソートすることができる。さらに、充電ステーション推奨デバイス４１０は、ソートされた少なくとも１つの充電ステーションの各々の評価、およびソートされた少なくとも１つの充電ステーションの各々の識別子を表示のためにクライアント端末に送信することができる。
【００８６】
判断ユニット６５０は、少なくとも１つの充電ステーションの各々の評価が事前設定されたしきい値以上かどうかを判断するように構成することができる。さらに、充電ステーション６４０は、目標充電ステーションの評価が事前設定されたしきい値以上であるとの判断に応答して、目標充電ステーション少なくとも１つの充電ステーションの識別子を、クライアント端末に送信することができる。
【００８７】
上述した記述は、単に例示目的で提供されたものであり、この開示の範囲を限定することを意図したものではないことに留意する必要がある。当業者には、この開示の教示に基づいて、複数の変形および変更を行うことができる。しかしながら、これらの変形および変更は、この開示の範囲から逸脱しない。例えば、決定ユニット６２０と計算ユニット６３０は、単一のユニットに統合することができる。他の例として、判断ユニット６５０は、計算ユニット６５０または決定ユニット６２０に統合することができる。
【００８８】
図７はこの開示のいくつかの実施形態による充電ステーション推奨に関する例示プロセス５００を図示するフローチャートである。プロセス７００はシステム１００により実行することができる。例えば、プロセス７００は、ストレージデバイス１５０に記憶された命令のセット（例えば、アプリケーション）としてインプリメントすることができる。サーバ１１（例えば、充電ステーション推奨デバイス４１０）は、命令のセットを実行することができ、命令を実行すると、プロセス７００を実行することができる。以下に提示された例示プロセスの動作は、例示であることを意図している。いくつかの実施形態において、プロセス７００は、記載されていない１つまたは複数のさらなる動作、および／または記載した動作の１つまたは複数なしで、達成することができる。さらに、図７に示し、以下に記載するプロセスの動作の順番は、限定することを意図したものではない。
【００８９】
ステップ７１０において、充電ステーション推奨デバイス４１０（例えば、受信ユニット６１０）は、充電ステーション推奨に関する要求をクライアント端末（例えば、クライアント端末１３０）から受信することができる。いくつかの実施形態において、充電ステーション推奨に関する要求は、クライアント端末により生成することができる。例えば、充電ステーション推奨に関する要求は、クライアント端末（例えば、ユーザインタフェースまたはアプリケーション）を介してユーザにより入力された入力に基づいて生成することができる。クライアント端末は、充電ステーション推奨に関する要求を、ネットワーク１２０を介して充電ステーション推奨デバイス４１０に送信することができる。
【００９０】
ステップ７２０において、充電ステーション推奨デバイス４１０（例えば、決定ユニット６２０）は、クライアント端末の事前設定された距離範囲内の少なくとも１つの充電ステーションを決定することができる。事前設定された距離範囲は、距離しきい値よりも短くする、例えば１０００メートル未満、または５００メートル未満、または１００メートル未満等にすることができる。事前設定された距離範囲は、ユーザによって、あるいは、オンラインツーオフラインサービスシステム１００のデフォルト設定によって、設定および／または調節することができる。例えば、充電ステーション推奨デバイス４１０が、事前設定された距離範囲内の少なくとも１つの充電ステーションの数が、量しきい値より少ないと判断した場合、充電ステーションデバイス４１０は、より多くの充電ステーションを判断するために事前設定された距離を広げることができる。量しきい値は、０、１、２、３等の定数であり得る。
【００９１】
ステップ７３０において、充電ステーション推奨デバイス４１０（例えば、計算ユニット６３０）は、１つまたは複数の評価パラメータに基づいて、少なくとも１つの充電ステーションの各々を評価することができる。１つまたは複数の評価パラメータは、少なくとも１つの充電ステーションの各々により提供される価格ディスカウントと、少なくとも１つの充電ステーションの各々とクライアント端末との間の距離、少なくとも１つの受電ステーションの各々に関する事前設定された推奨値、少なくとも１つの充電ステーションの各々の過去の評価、少なくとも１つの充電ステーションの各々に到着するための移動期間、少なくとも１つの充電ステーションの各々に関連づけられたトラフィック条件等、またはそれらの組み合わせを含むことができる。いくつかの実施形態において、充電ステーションの評価は、それぞれ１つまたは複数の評価パラメータに対応する、１つまたは複数の事前設定された重み付け値に基づいて決定することができる。充電ステーション推奨デバイス４１０は、１つまたは複数の事前設定された重み付け値に基づいて、１つまたは複数の評価パラメータに関連づけられた、重み付けされた合計値を推定することができる。充電ステーション推奨デバイス４１０は、１つまたは複数の評価パラメータに関連づけられた重み付けされた合計値を、充電ステーションの評価として指定することができる。
【００９２】
いくつかの実施形態において、評価パラメータに対応する事前設定された重み付け値は、１未満の定数であり得る。例えば、１つまたは複数の事前設定された重み付け値は、少なくとも１つの充電ステーションの各々の価格ディスカウントに対応する第１の事前設定された重み付け値が４０％、少なくとも１つの充電ステーションの各々とクライアント端末との間の距離に対応する第２の事前設定された重み付け値が３５％、少なくとも１つの充電ステーションの各々の事前設定された推奨値に対応する第３の事前設定された重み付け値が２０％、少なくとも１つの充電ステーションの各々の過去の評価値に対応する第４の事前重み付け値が５％を含むことができる。
【００９３】
いくつかの実施形態において、事前設定された重み付け値（例えば、第１の事前設定された重み付け値、第２の事前設定された重み付け値、第３の事前設定された重み付け値、および第４の事前設定された重み付け値）は、ユーザによるユーザの好みにより、あるいは充電ステーション推奨デバイス４１０により事前設定することができる。例えば、ユーザが特定の評価パラメータをより具体的に好む場合、ユーザまたは充電ステーション推奨デバイス４１０は、特定の評価パラメータに対応する事前設定された重み付け値を調整することができる。さらに、ユーザが充電ステーションの価格ディスカウントを好む場合、ユーザは、第１の事前設定された重み付け値を増加させることができる。ユーザの好みは、ユーザが選択する充電ステーションに関する過去のデータ、あるいは質問票（または他の形式）に基づいて事前に解析することができる。
【００９４】
いくつかの実施形態において、充電ステーション推奨デバイス４１０は、１つまたは複数の推奨パラメータに基づいて充電ステーションの事前設定された推奨値を決定することができる。１つまたは複数の推奨パラメータは、充電ステーションの充電パイルの数、充電ステーションにおけるリアルタイムの駐車料金、充電ステーションに関連づけられた充電単価、充電ステーションにおける無料充電パイルの数等またはそれらの組み合わせを含むことができる。
【００９５】
いくつかの実施形態において、充電ステーション推奨デバイス４１０は、それぞれ１つまたは複数の推奨パラメータに対応する、１つまたは複数の事前設定されたパーセンテージを取得することができる。さらに、充電ステーション推奨デバイス４１０は、１つまたは複数の事前設定されたパーセンテージに基づいて、事前設定された推奨値を決定することができる。事前設定された推奨値は、それぞれ対応する事前設定されたパーセンテージを乗算する１つまたは複数の推奨パラメータ合計に等しくすることができる。いくつかの実施形態において、推奨パラメータに対応する事前設定されたパーセンテージは、１未満の定数であり得る。１つまたは複数の事前設定されたパーセンテージの合計は、値１に等しくすることができる。例えば、１つまたは複数のパーセンテージは、充電ステーションの充電パイルの数に対応する第１の事前設定されたパーセンテージが４５％、充電ステーションにおけるリアルタイム駐車料金に対応する第２の事前設定されたパーセンテージが３４％、充電ステーションに関連づけられた充電単価に対応する第３の事前設定されたパーセンテージが２０％を含むことができる。
【００９６】
いくつかの実施形態において、充電ステーション推奨デバイス４１０は、以下に記載される式（１）による１つまたは複数の事前設定されたパーセンテージに基づいて、事前設定された推奨値を決定することができる。
Ｒ＝Ｑ×ａ％＋Ｐ×ｂ％＋Ｆ×ｃ％                （１）
但し、Ｒは事前設定された推奨値を指し、Ｑは充電パイルの数を指し、Ｐはリアルタイム駐車料金を指し、Ｆは、充電単価を指し、ａ％は第１の事前設定されたパーセンテージを指し、ｂ％は、第２の事前設定されたパーセンテージを指し、ｃ％は第３の事前設定されたパーセンテージを指す。
【００９７】
いくつかの実施形態において、充電ステーションの充電パイルの数に対応する第１の事前設定されたパーセンテージは、４５％であり得る。少なくとも１つの充電ステーションの各々に関連づけられたリアルタイム駐車料金に対応する第２の事前設定されたパーセンテージは、３５％であり得る。少なくとも１つの充電ステーションの各々に関連づけられた充電単価に対応する第３の事前設定されたパーセンテージは、２０％であり得る。
【００９８】
このインプリメンテーションにおいて、異なる充電ステーションは、充電パイルの数、タイプ、駐車料金、充電価格等を含む異なる特性を有することができる。それゆえ、事前設定された推奨値は、推奨パラメータ（例えば、充電パイルの数、リアルタイム駐車料金、充電単価等）および対応する事前設定されたパーセンテージに基づいて、決定することができる。充電ステーションの推奨により大きい影響を有する推奨パラメータ（例えば、充電パイルの数、リアルタイム駐車料金、または充電単価）は、より大きなパーセンテージに割り当てることができ、それにより推奨値の計算精度と信頼性を改善することができる。
【００９９】
ステップ７４０において、充電ステーション推奨デバイス４１０（例えば、プッシュユニット６４０）は、少なくとも１つの充電ステーションの各々の評価と、少なくとも１つの充電ステーションの各々の識別子をクライアント端末１３０に送信することができる。少なくとも１つの充電ステーションの各々の評価と、少なくとも１つの充電ステーションの各々の識別子は、ユーザのためにクライアント端末１３０（例えば、ユーザインタフェース）により表示することができる。充電ステーションの識別子は、充電ステーションを他の充電ステーションから識別するおよび／または区別するように構成することができる。いくつかの実施形態において、充電ステーションの識別子は、充電ステーションの数、充電ステーションのアドレス、充電ステーションのタイプ等を含むことができる。
【０１００】
いくつかの実施形態において、充電ステーション推奨デバイス４１０（例えば、プッシュユニット６４０）は、少なくとも１つの充電ステーションに関連した情報を所定のストラテジーに従ってクライアント端末にプッシュすることができる。例えば、充電ステーション推奨デバイス４１０は、少なくとも１つの充電ステーションの評価を降べきの順、あるいは昇べきの順にソートすることができる。いくつかの実施形態において、充電ステーション推奨デバイス４１０は、ソートされた少なくとも１つの充電ステーションの各々評価と、ソートされた少なくとも１つの充電ステーションの識別子を、表示のためにクライアント端末に送信することができる。いくつかの実施形態において、充電ステーション推奨デバイス４１０は、充電ステーションの上位特定の数（例えば、上位１つ、上位２つ、上位３つ等）を決定することができ、関連する情報をクライアント端末に送信することができる。このインプリメンテーションにおいて、ユーザは、事前設定された距離範囲内の少なくとも１つの充電ステーションと対応する識別子を直観的に、かつ正確に理解することができる。ユーザは、異なる識別子に従って少なくとも１つの充電ステーションをアレンジすることができ、自分の乗り物を充電するために、充電ステーションを選択することができる。例えば、少なくとも１つの充電ステーションのユーザ満足度に基づいて、ユーザは、より高いユーザ満足度を有する充電ステーションを迅速かつ正確に決定することができ、ユーザの利便性を改良することができる。
【０１０１】
他の例として、充電ステーション推奨デバイス４１０（例えば、決定ユニット６２０）は、少なくとも１つの充電ステーションの各々の評価が事前設定されたしきい値以上であるかどうかを判断することができる。さらに、充電ステーション推奨デバイス４１０は、目標充電ステーションの評価が前記事前設定されたしきい値以上であるとの判断に応答して、前記少なくとも１つの充電ステーションからの目標充電ステーションの識別子を表示のためにクライアント端末に送信することができる。このインプリメンテーションにおいて、ユーザは、少なくとも１つの充電ステーションの中から最も適切な充電ステーションをより迅速に取得することができ、それにより、ユーザ体験を改良し、サーバの処理圧力を低減することができる。
【０１０２】
上述した記述は単に図示目的のために提供され、この開示の範囲を限定することを意図したものではないことに留意する必要がある。当業者には、複数の変形及び変更この開示の教示に基づいて行うことができる。しかしながら、これらの変形および変更は、この開示の範囲から逸脱しない。例えば、プロセス７００は、さらに少なくとも１つの充電ステーションの各々の評価を記憶することを含むことができる。
【０１０３】
図８は、この開示のいくつかの実施形態による例示充電管理デバイス４２０を図示するブロック図である。充電管理デバイス４２０は、受信ユニット８１０、決定ユニット８２０、接続ユニット８３０および送信ユニット８４０を含むことができる。充電管理デバイス４２０のユニットは、処理デバイス１１２の少なくとも一部のハードウェア回路であり得る。デバイス１４００のユニットは、処理デバイス１１２により読み取られ実行される、アプリケーションまたは命令のセットとしてインプリメントすることができる。さらに、ユニットは、ハードウェア回路とアプリケーション／命令の任意の組み合わせであり得る。例えば、デバイス４２０のユニットは、処理デバイス１１２が、アプリケーションまたは命令のセットを実行しているとき、処理デバイス１１２の一部であり得る。
【０１０４】
受信ユニット８１０は、電子乗り物の充電要求および充電パイルからの関連する要求を受信するように構成することができる。充電要求は、電子乗り物に関する情報を含むことができる。例えば、電子乗り物に関する情報は、電子乗り物のライセンス番号、電子乗り物のタイプ、電子乗り物の現在の余剰エネルギ、電子乗り物の充電器のタイプ等を含むことができる。関連づけ要求は、電子乗り物（例えば、電子乗り物１４０）に関連づけられたクライアント端末（例えば、クライアント端末１３０）と充電管理デバイス４２０を接続するために使用することができる。関連づけ要求は、クライアント端末に関連する識別情報を含むことができる。
【０１０５】
決定ユニット８２０は、充電要求に基づいてクライアント端末に関連づけられた、電子乗り物を充電するための充電情報を決定するように構成することができる。充電情報は、１つまたは複数の充電パラメータ、例えば、基準充電量、基準充電パーセンテージ、基準充電期間、基準充電電圧、基準充電電流、基準充電料金等を含むことができる。例えば、決定ユニット８２０は、基準充電期間、基準充電料金、基準充電量を、電子乗り物の現在の余剰エネルギに基づいて決定することができる。他の例として、決定ユニット８２０は、基準充電電圧を電子乗り物のタイプ、または電子乗り物の充電器のタイプに基づいて決定することができる。
【０１０６】
接続ユニット８３０は、充電管理デバイスとクライアント端末との間の接続を確立するように構成することができる。いくつかの実施形態において、充電管理デバイスとクライアント端末との間の接続は、ネットワーク１２０のようなワイヤレス接続を介して生成することができる。
【０１０７】
送信ユニット８４０は、充電情報を充電パイルに送信して、充電情報に基づいて電子乗り物を充電するように構成することができる。いくつかの実施形態において、送信ユニット８４０は、充電情報を、充電管理デバイス４２０とクライアント端末との間の接続を介して送信することができる。
【０１０８】
上述した記述は、単に図示目的で提供され、この開示の範囲を限定することを意図したものではないことに留意する必要がある。当業者には、複数の変形と変更は、この開示の教示に基づいて行うことができる。しかしながら、変形と変更は、この開示の範囲から逸脱しない。例えば、受信ユニット８１０と送信ユニット８４０は、１つのユニットに統合することができる。
【０１０９】
図９は、この開示のいくつかの実施形態による、電子乗り物を充電するように充電パイルを動作させる、例示プロセス９００を図示するフローチャートである。プロセス９００は、オンラインツーオフラインサービス１００により実行することができる。例えば、プロセス９００は、プロセッサ、少なくとも１つのストレージデバイス、およびネットワークと通信可能に接続されたデータ交換ポートを有する処理デバイス（例えば、充電管理デバイス４２０）上でインプリメントすることができる。プロセス９００は、ストレージデバイス１５０に記憶された命令のセット（例えば、アプリケーション）としてインプリメントすることができる。処理デバイス１１２（例えば、充電管理デバイス４２０）は、命令のセットを実行することができ、命令を実行しているとき、プロセス９００を実行するように構成することができる。以下に示す図示プロセスの動作は、例示を意図している。いくつかの実施形態において、プロセス９００は、記載されていない１つまたは複数のさらなる動作により、および／または上述した動作の１つまたは複数を伴わずに達成することができる。さらに、図９に図示し、下記に説明するプロセスの動作の順番は、限定することを意図していない。
【０１１０】
ステップ９１０において、充電管理デバイス４２０（例えば、受信ユニット８１０）は、電子乗り物を充電する充電要求、および充電パイルからの関連づけ要求を受信することができる。充電要求は、電子乗り物に関する情報を含むことができる。例えば、電子乗り物に関する情報は、電子乗り物のライセンス番号、電子乗り物のタイプ、電子乗り物の現在の余剰エネルギ、電子乗り物の充電器のタイプ等を含むことができる。関連づけ要求は、ネットワークを介した通信のために、電子乗り物（例えば、電子乗り物１４０）に関連付けられたクライアント端末（例えば、クライアント端末１３０）と充電管理デバイス４２０を接続するのに使用することができる。関連づけ要求は、クライアント端末に関連する識別情報を含むことができる。クライアント端末に関連する識別情報は、クライアント端末を他から、例えば、クライアント端末のＭＡＣアドレス、クライアント端末のＩＭＥＩ、疑似固有ＩＤ、アンドロイドＩＤなどまたはそれらの組み合わせから、区別するように構成することができる。
【０１１１】
いくつかの実施形態において、充電要求および／または関連づけ要求は、充電パイルにより充電することができる。例えば、電動乗り物が、物理的接続（例えば、有線接続）を介して充電パイルに接続されることを充電パイルが検出した場合、充電パイルは、充電要求および／または関連づけ要求を生成することができる。いくつかの実施形態において、電動乗り物が物理接続（例えば、有線接続）を介して充電パイルに接続されると、充電要求および／または関連づけ要求は、クライアント端末により生成することができる。電動乗り物と充電パイルとの間の物理接続は、クライアント端末に送信されるトリガ信号として識別することができる。クライアント端末は、トリガされ、トリガ信号により充電要求および／または関連づけ要求を生成することができる。いくつかの実施形態において、充電要求および／または関連づけ要求は、クライアント端末１３０のユーザインタフェースを介して、ユーザにより入力された入力に基づいてクライアント端末により生成することができる。クライアント端末１３０は、充電要求と関連付要求を、ネットワーク１２０を介して、充電パイルに送信することができる。クライアント端末による充電要求および／または関連づけ要求を生成するためのさらなる記述は、この開示のどこか（例えば、図１１とその記述）に見出すことができる。
【０１１２】
９２０において、充電管理デバイス４２０（例えば、決定ユニット８２０）は、充電要求に基づいてクライアント端末に関連付けられた電動乗り物を充電するための充電情報を決定することができる。充電情報は、１つのまたは複数の充電パラメータ、例えば、基準充電量、基準充電パーセンテージ、基準充電期間、基準充電電圧、基準充電電流、基準充電料金等を含むことができる。例えば、充電管理デバイス４２０（例えば、決定ユニット８２０）は、クライアント基準充電期間、基準充電料金および／または電動乗り物の現在の余剰電力に基づいた、基準充電量を決定することができる。他の例として、充電管理デバイス４２０（例えば、決定ユニット８２０）は、電動乗り物のタイプ、または電動乗り物の充電器のタイプに基づいて、基準充電電圧を決定することができる。
【０１１３】
ステップ９３０において、充電管理デバイス４２０（例えば、接続ユニット８３０）は、関連付け要求に基づいて、充電管理デバイス４２０とクライアント端末との間の接続を確立することができる。いくつかの実施形態において、充電管理デバイス４２０とクライアント端末との間の接続は、ネットワーク１２０のような無線接続を介して生成することができる。充電管理デバイス４２０は接続を介してクライアント端末と通信することができる。例えば、充電管理デバイス４２０は、電動乗り物を充電するための充電充電料金をクライアント端末に送信することができる。他の例として、充電管理デバイス４２０は、クライアント端末に関連づけられた電子銀行口座から料金を差し引くすることができる。
【０１１４】
ステップ９４０において、充電管理デバイス（例えば、送信ユニット８４０）は、充電情報を充電パイルに送信し、充電情報に基づいて電子乗り物を充電することができる。いくつかの実施形態において、充電パイルは、充電管理デバイス４２０から充電情報を受信した後で、クライアント端末に充電情報を送信することができる。いくつかの実施形態において、充電管理デバイス４２０（例えば、送信ユニット８４０）は、充電管理デバイス４２０とクライアント端末との間の接続を介してクライアント端末に充電情報を送信することができる。ユーザは、クライアント端末および／または充電パイルにインプリメントされたユーザインタフェースを介して充電管理デバイス４２０により決定された充電情報を調節することができる。例えば、ユーザは、ユーザの実際の要望に従って、１つまたは複数の充電パラメータ（例えば、基準充電期間、基準充電量等）を調節することができる。
【０１１５】
この実施形態において、充電管理デバイス４２０は、電動乗り物の充電情報を決定することができ、充電情報を直接充電パイルに送信することができるので、ユーザは、クライアント端末を介してまたは充電パイルを介して便宜的に充電情報をセットすることができ、ユーザの体験を改善することができる。
【０１１６】
ステップ９５０において、充電管理デバイス４２０は、充電情報に基づいて電動乗り物を充電するための充電パイルを動作させることができる。いくつかの実施形態において、充電管理デバイス４２０は、充電情報を充電パイルに送信した後で、電動乗り物を充電することを開始するために、充電信号を生成することができる。充電管理デバイス４２０は、充電信号を充電パイルおよび／またはクライアント端末に送信して表示することができる。充電は、ユーザが手動で、あるいは、クライアント端末からの充電信号の確認に応答して、充電管理デバイス４２０により開始することができる。
【０１１７】
いくつかの実施形態において、充電管理デバイス４２０は、充電パイル１６０が電動乗り物１４０を充電する、現在の充電ステータスを取得することができる。充電管理デバイス４２０は、クライアント端末１３０と充電管理デバイス１４０との間の接続を介してクライアント端末に現在の充電ステータスを送信することができる。現在の充電ステータスは、現在の充電量、現在の充電パーセンテージ、現在の充電期間、現在の充電料金等を含むことができる。
【０１１８】
いくつかの実施形態において、充電管理デバイス４２０は、電動乗り物に対する充電が完了したかどうかを判断することができる。充電管理デバイス４２０は、電流充電ステータスと充電パラメータに基づいて、電動乗り物に対する充電が完了したかどうかを判断することができる。例えば、充電管理デバイス４２０は、現在の充電期間が基準充電期間に等しいと、充電管理デバイス４２０が判断した場合、電動乗り物に対する充電が完了したと判断することができる。他の例として、充電管理デバイス４２０は、充電管理デバイス４２０が、クライアント端末から充電停止命令を受信した場合、電動乗り物に対する充電が完了したと判断することができる。電動乗り物に対する充電が完了したと判断することに応答して、充電管理デバイス４２０は、充電情報に対応する充電料金を決定することができる。例えば、充電管理デバイス４２０は、現在の充電期間（または現在の充電量）が基準充電期間（または基準充電量）に等しいと、充電管理デバイス４２０が判断した場合、基準充電料金を充電料金として決定することができる。他の例として、充電管理デバイス４２０は、充電管理デバイス４２０がクライアント端末から充電停止命令を受信した場合、現在の充電料金を充電料金として決定することができる。充電管理デバイス４２０は、クライアント端末と充電管理デバイス４２０との間の接続を介して充電料金を、クライアント端末に送信することができる。充電管理デバイス４２０は、クライアント端末から充電料金に関する支払い確認を受信すると、クライアント端末に関連づけられた電子金融口座から、充電料金を差し引くことができる。いくつかの実施形態において、ユーザは、電動乗り物を充電するためにある額のお金をプリペイすることができる。充電料金は、充電期間中にプリペイドされた額から同時に差し引くことができ、充電管理デバイス４２０は、プリペイドされた額の残額がゼロになると、電動乗り物に対する充電は、完了したと判断することができる。、
【０１１９】
さらに、充電パイルから関連づけ要求を受信することにより、充電管理デバイス４２０は、クライアント端末１３０との接続を最初に確立することができる。それゆえ、クライアント端末により実行する必要があるクライアント端末と充電管理デバイス４２０との間の接続を確立するための関連する動作は消去され、従って、クライアント端末の動作を簡素化することができ、充電効率を改良することができる。充電管理デバイス４２０とクライアント端末との間の接続は、充電管理デバイス４２０により開始されるので、ユーザのアカウント（例えば、電子銀号口座）のセキュリティを改善することができる。
【０１２０】
特に、充電パイルと電動乗り物との間の物理的接続は、電動乗り物によりトリガ信号（例えば、ハイレベル、または高電圧の電気信号）として認識することができる。電動乗り物は、トリガ信号を、電動乗り物に関連づけられたクライアント端末に送信することができる。トリガ信号は、クライアント端末をトリガして、関連づけ要求と充電要求を生成するのに使用することができる。クライアント端末と充電管理デバイス４２０との間に通信接続が確立される前に、クライアント端末は、充電管理デバイス４２０の通信アドレスを知らないので、関連づけ要求と充電要求は、充電パイルを介して、充電管理デバイス４２０に送信することができる。
【０１２１】
いくつかの実施形態において、ユーザは、クライアント端末を介して充電要求を入力することができる。クライアント端末は、充電パイルに送信される充電要求を検出すると、関連づけ要求を自動的に生成することができる。充電要求と関連づけ要求はクライアント端末により充電パイルに送信することができる。充電パイルは、クライアント端末が、充電管理デバイス４２０に接続される前に、充電要求と関連づけ要求を充電管理デバイス４２０に送信することができる。充電管理デバイス４２０は、充電要求に基づいて充電情報を決定し、充電情報に従って充電パイルを操作して電動乗り物を充電することができる。充電管理デバイス４２０は、また関連づけ要求に従ってクライアント端末との接続も確立することができる。
【０１２２】
上述した記述は、単に例示目的のために提供され、この開示の範囲を限定すること意図したものではないことに留意する必要がある。当業者には、この開示の教示の下で、複数の変形および変更を行うことができる。しかしながら、これらの変形および変更は、この開示の範囲から逸脱しない。例えば、動作９２０と動作９３０は、同期して実行することができる。他の例として、動作９３０と動作９４０は、同期して実行することができる。いくつかの実施形態において、プロセス９００はさらに、電動乗り物を充電するための充電情報を含むことができる。
【０１２３】
図１０は、この開示のいくつかの実施形態による充電パイルの例示プロセッサ１０００を図示するブロック図である。プロセッサ１０００は、決定ユニット１０１０、送信ユニット１０２０、および受信ユニット１０３０を含むことができる。プロセッサ１０００のユニットは、コンピューティングデバイス３００の少なくとも一部のハードウェア回路であり得る。プロセッサ１０００のユニットは、またコンピューティングデバイス３００により読み取られ、実行されるアプリケーションまたは命令のセットとしてインプリメントすることができる。さらに、ユニットは、ハードウェア回路とアプリケーション／命令の任意の組み合わせであり得る。例えば、プロセッサ１０００のユニットは、コンピューティングデバイス３００がアプリケーションまたは命令のセットを実行しているときコンピューティングデバイス３００の一部であり得る。
【０１２４】
判断ユニット１０１０は、充電パイルが電動乗り物に接続されているかどうかを判断するように構成することができる。いくつかの実施形態において、電動乗り物は、充電インタフェースを含むことができる。プロセッサは、充電インタフェースを検出した場合、充電パイルが電動乗り物に接続されていると判断することができる。いくつかの実施形態において、判断ユニット１０１０は、充電パイルが電動乗り物に接続されているとの判断に応答して、電動乗り物に関連づけられたクライアント端末を判断することができる。電動乗り物の充電インタフェースを検出した後、プロセッサは、充電インタフェースを介して、電動乗り物の乗り物情報をアクティブに取得することができる。電動乗り物の乗り物情報は、電動乗り物のライセンス番号、電動乗り物のタイプ、電動乗り物の現在の余剰電力、電動乗り物のための充電器のタイプ等を含む。プロセッサは、乗り物情報に基づいて電動乗り物に関連づけられたクライアント端末に関連する情報を決定することができる。クライアント端末に関連する情報は、クライアント端末の識別情報を、例えば、クライアント端末のＭＡＣアドレス、クライアント端末のＩＭＥＩ、疑似固有ID、ＡｎｄｒｏｉｄＩＤ、またはそれらの組み合わせを含むことができる。プロセッサはさらに、クライアント端末に関連する情報に基づいて、関連づけられたクライアント端末を決定することができる。クライアント端末と充電パイルとの間の関連づけ動作は、乗り物情報に基づいて、クライアント端末に関連する情報を決定することにより簡単化することができ、ユーザの体験を改善することができる。
【０１２５】
送信ユニット１０２０は、クライアント端末に充電プロンプトと、関連づけプロンプトを送信するように構成することができる。充電プロンプトは、充電パイルにより取得された、電動乗り物に関連する乗り物情報を含むことができる。クライアント端末は、ユーザを促すために充電プロンプトを表示することができる。いくつかの実施形態において、ユーザは、クライアント端末のユーザインタフェースに基づいて、乗り物情報を調整することができる。クライアント端末は、調整された乗り物情報を含む充電要求を生成することができる。関連づけプロンプトは、充電パイルにより決定された、クライアント端末に関連する情報を含む事ができる。クライアント端末は、ユーザに促すために、関連づけプロンプトを表示することができる。いくつかの実施形態において、ユーザは、クライアント端末のユーザインタフェースを介して、クライアント端末に関連する情報を調節することができる。クライアント端末は、クライアント端末に関連する調節された情報を含む、関連づけ要求を生成することができる。
【０１２６】
受信ユニット１０３０は、充電要求と関連づけ要求を、クライアント端末から受信するように構成することができる。充電要求は、充電パイルにおいて電動乗り物を充電するために使用することができる。充電要求は、電動乗り物に関連する、調節された乗り物情報を含むことができる。例えば、電動乗り物に関連する調節された乗り物情報は、電動乗り物のライセンス番号、電動乗り物のタイプ、電動乗り物の現在の余剰電力、電動乗り物のための充電器のタイプ等を含むことができる。関連づけ要求は、電動乗り物（例えば、電動乗り物１４０）に関連づけられたクライアント端末（例えば、クライアント端末１３０）と充電管理デバイス（例えば、充電管理デバイス４２０）を接続するために使用することができる。関連づけ要求は、クライアント端末に関連する調節された情報を含むことができる。クライアント端末に関連する調節された情報は、クライアント端末のＭＡＣアドレス、クライアント端末のＩＭＥＩ、疑似固有ＩＤ、ＡｎｄｒｏｉｄＩＤ等、またはそれらの組み合わせを含むことができる。
【０１２７】
上述した記述は、単に図示目的のために提供され、この開示の範囲を限定することを意図したものではないことに留意する必要がある。当業者には、この開示の教示の下では、複数の変形と変更を行うことができる。しかしながら、これらの変形と変更は、この開示の範囲から逸脱しない。例えば、プロセッサ１０００は、さらに判断ユニットを含むことができる。他の例として、送信ユニット１０２０と受信ユニット１０３０は、１つのユニットに統合することができる。
【０１２８】
図１１は、この開示のいくつかの実施形態による電動乗り物１４０を充電するための例示プロセスを図示するフローチャートである。プロセス１１００は、オンラインツーオフラインサービスシステム１００により実行することができる。例えば、プロセス１１００は、プロセッサ、少なくとも１つのストレージデバイス、およびネットワークに通信可能に接続された、データ交換ポートを有する充電パイル（例えば充電ステーション１６０における充電パイル）にインプリメントすることができる。プロセス１１００は、少なくとも１つのストレージデバイスに記憶された命令のセット（例えば、アプリケーション）としてインプリメントすることができる。充電パイルのプロセッサは、命令のセットを実行することができ、命令を実行しているとき、プロセス１１００を実行するように構成することができる。下記に示す例示プロセスの動作は例示目的であることを意図している。いくつかの実施形態において、プロセス１１００は、記載されていない１つまたは複数のさらなる動作を有して、および／または記載された動作の１つまたは複数なしに、達成することができる。さらに、図１１に図示し、下記に記載するプロセスの動作の順番は、限定することを意図したものではない。
【０１２９】
１１１０において、プロセッサ（例えば、判断ユニット１０１０）は、充電パイルが電動乗り物（例えば、電気自動車１４０−１）に接続されているかどうかを判断することができる。いくつかの実施形態において、電動乗り物は、充電インタフェースを含むことができる。プロセッサは、プロセッサが充電インタフェースを検出した場合、充電パイルが電動乗り物に接続されていると判断することができる。いくつかの実施形態において、プロセッサ（例えば、判断ユニット１０１０）は、充電パイルを取り囲む領域をモニタするように構成されたビデオモニタリングに基づいて、充電パイルが電動乗り物（例えば、電気自動車１４０−１）に接続されているかどうかを判断することができる。例えば、ビデオモニタリングシステムは、充電パイルに関連付けられた画像データを取得し、画像データをプロセッサに転送することができる。プロセッサは、画像データに基づいて、充電パイルが電動乗り物に接続されているかどうかを判断することができる。
【０１３０】
１１２０において、プロセッサ（例えば、判断ユニット１０１０）は、充電パイルが電動乗り物に接続されているとの判断に応答して、電動乗り物に関連付けられたクライアント端末を決定することができる。電動乗り物の充電インタフェースを検出した後で、プロセッサは、充電インタフェースおよび／または充電パイルのデータ交換ポート介して、電動乗り物の乗り物情報をアクティブに取得することができる。電動乗り物の乗り物情報は、電動乗り物のライセンス番号、電動乗り物のタイプ、電動乗り物の現在の余剰電力、電動乗り物のための充電器のタイプ等を含むことができる。電動乗り物に関連づけられた、クライアント端末に関連する情報をさらに判断することができる。クライアント端末に関連する情報は、クライアント端末の識別情報、例えば、クライアント端末のＭＡＣアドレス、クライアント端末のＩＭＥＩ、疑似固有ＩＤ、ＡｎｄｒｏｉｄＩＤ、等またはそれらの組み合わせを含むことができる。いくつかの実施形態において、クライアント端末は、無線接続（例えば、Ｂｌｕｅｔｏｏｔｈ）または有線接続（例えば、充電ライン）を介して電動乗り物に接続することができる。プロセッサは、クライアント端末と電動乗り物との間の接続に基づいて、クライアント端末に関連する情報を判断することができる
【０１３１】
プロセッサはさらに、クライアント端末に関連する情報に基づいて関連づけられたクライアント端末を決定することができる。クライアント端末と充電パイルとの間の関連づけ動作は、乗り物情報に基づいて、クライアント端末に関連する情報を判断することにより簡単化することができ、それゆえ、ユーザの体験が改善される。
【０１３２】
１１３０において、プロセッサ（例えば、送信ユニット１０２０）は、充電プロンプトと、関連づけプロンプトをクライアント端末に送信することができる。いくつかの実施形態において、充電プロンプトは、充電パイルにより取得された電動乗り物に関連する乗り物情報を含むことができる。クライアント端末は、充電プロンプトを表示してユーザを促すことができる。いくつかの実施形態において、ユーザは、クライアント端末のユーザインタフェースに基づいて、乗り物情報を調節することができる。クライアント端末は、電動乗り物に関連する乗り物情報（または調節された乗り物情報）を含む充電要求を生成することができる。関連づけプロンプトは、充電パイルにより決定された、クライアント端末に関連する情報を含むことができる。クライアント端末は、関連づけプロンプトを表示してユーザを促すことができる。いくつかの実施形態において、ユーザは、クライアント端末のユーザインタフェースを介してクライアント端末に関連する情報を調節することができる。クライアント端末は、クライアント端末に関連する情報（または調節された情報）を含む、関連づけ要求を生成することができる。
【０１３３】
１１４０において、プロセッサ（例えば、受信ユニット１０３０）は、充電要求および関連づけ要求をクライアント端末から受信することができる。充電要求は、充電パイルにおいて電動乗り物を充電するために使用することができる。充電要求は、電動乗り物に関連する乗り物情報（または調節された乗り物情報）を含むことができる。例えば、電動乗り物に関連する乗り物情報は、電動乗り物のライセンス番号、電動乗り物のタイプ、電動乗り物の現在の余剰電力、電動乗り物のための充電器のタイプ等を含むことができる。関連づけ要求は、電動乗り物（例えば、電動乗り物１４０)に関連づけられたクライアント端末（例えば、クライアント端末１３０）と充電管理デバイス（例えば、充電管理デバイス４２０）を接続し、ネットワークを介して通信するために使用することができる。関連付け要求は、クライアント端末に関連する情報（または調節された情報）を含むことができる。クライアント端末に関連する方法は、クライアント端末のＭＡＣアドレス、クライアント端末のＩＭＥＩ、疑似固有ＩＤ、など、またはそれらの組み合わせを含むことができる。いくつかの実施形態において、充電要求と関連付け要求は、充電パイルにインプリメントされたユーザインタフェースに表示することができる。ユーザは、プロセッサが充電要求と関連づけ要求を充電管理デバイス（例えば、充電管理デバイス４２０）に送信する前に、再度充電要求と関連づけ要求を確認することができる。
【０１３４】
１１５０において、プロセッサは、充電要求と関連づけ要求を、データ交換ポートを介して充電管理デバイスに送信することができる。いくつかの実施形態において、充電管理デバイス（例えば、充電管理デバイス４２０）は、この開示のどこか（例えば、図９およびその記述）に記載した充電要求に基づいて、電動乗り物を充電する充電情報を決定することができる。充電情報は、１つまたは複数の充電パラメータ、例えば、基準充電量、基準充電パーセンテージ、基準充電期間、基準充電電圧、基準充電電流、基準充電料金などを含むことができる。充電管理デバイス（例えば、充電管理デバイス４２０）は、充電情報を充電パイルに送信して、電動乗り物を充電することができる。いくつかの実施形態において、充電管理デバイス（例えば、充電管理デバイス４２０）は、充電管理デバイスとクライアント端末との間の接続を、関連づけ要求に基づいて確立することができる。
【０１３５】
いくつかの実施形態において、プロセス１１００（例えば、受信ユニット１０１０）は、さらに、充電情報を充電管理デバイスから受信することを含むことができる。プロセッサは、充電パイルを操作して電動乗り物１４０を、充電情報に基づいて充電することができる。電動乗り物を充電するためのさらなる記述は、この開示のどこか（例えば、図１４およびその記述）に見出すことができる。
【０１３６】
いくつかの実施形態において、プロセス１１００（例えば、送信ユニット１０２０）は、さらに電動乗り物の現在の充電ステータスを取得し、充電管理デバイス４２０に送信することができる。充電管理デバイス４２０は、電動乗り物に関する充電が完了したかどうかを、電動乗り物の現在の充電ステータスに基づいて判断することができる。充電乗り物に関する充電が完了したと、充電管理デバイス４２０が判断すると、充電管理デバイス４２０は、充電パイルが電動乗り物を充電するのを、停止することができる。さらに、充電管理デバイス４２０は、充電料金を決定し、充電料金をクライアント端末および／または充電パイルに送信することができる。充電パイルまたはクライアント端末から支払い確認を受信すると、充電管理デバイス４２０は、クライアント端末に関連づけられた電子銀行口座から、充電料金を差し引くことができる。
【０１３７】
上述した記述は、例示目的のために提供され、この開示の範囲を限定することを意図したものではないことに留意する必要がある。当業者には、複数の変形と変更がこの開示の教示の下で行うことができる。しかしながら、これらの変形および変更は、この開示の範囲から逸脱しない。例えば、動作１１３０と動作１１１４０は、省略することができる。プロセス１１００は、充電要求と関連づけ要求を、充電パイルのプロセッサにより生成することを含むことができる。
【０１３８】
図１２は、この開示のいくつかの実施形態によるクライアント端末１３０にインプリメントされた、例示プロセッサ１２００を図示するブロック図である。プロセッサは、受信ユニット１２１０、表示ユニット１２２０、生成ユニット１２３０、および送信ユニット１２４０を含むことができる。プロセッサ１２００のユニットは、モバイルデバイス２００の少なくとも一部のハードウェア回路であり得る。プロセッサ１２００のユニットは、またモバイルデバイス２００により読み取られ実行されるアプリケーションまたは命令のセットとして、インプリメントすることができる。さらに、ユニットは、ハードウェア回路とアプリケーション／命令の任意の組み合わせであり得る。例えば、プロセッサ１２００のユニットは、モバイルデバイス２００がアプリケーションまたは命令のセットを実行しているとき、モバイルデバイス２００の一部であり得る。
【０１３９】
受信ユニット１２１０は、充電パイルがクライアント端末に関連づけられた電動乗り物に接続された後で、データ交換ポートを介して充電パイルから充電プロンプトと、関連づけプロンプトを受信するように構成することができる。充電プロンプトは、この開示のどこか（例えば、図１１とその記述）に記載された充電パイルによって取得された、電動乗り物に関する乗り物情報を含むことができる。関連づけプロンプトは、この開示のどこか（例えば、図１１とその記述）に記載したように充電パイルにより決定された、クライアント端末に関する情報を含むことができる。充電パイルは、充電プロンプトと関連づけプロンプトを、クライアント端末に送信することができる。
【０１４０】
表示ユニット１２２０は、クライアント端末１１３０のユーザインタフェースに充電プロンプトおよび／または関連づけプロンプトを表示させるように構成することができる。いくつかの実施形態において、クライアント端末１３０は、充電プロンプトおよび／または関連づけプロンプトを、テキストまたは画像の形式でユーザインタフェース上に表示することができる。いくつかの実施形態において、クライアント端末１３０は、充電プロンプト及び／または関連づけプロンプトを、テキスト、音声、画像などの形式のメッセージを介してユーザに表示することができる。
【０１４１】
生成ユニット１２３０は、ユーザインタフェース上のユーザ相互作用に基づいて、電動乗り物を充電するための充電要求を生成するように構成することができる。充電要求は、ユーザインタフェース上のユーザにより入力することができる。いくつかの実施形態において、ユーザは、ユーザインタフェース上のユーザ相互作用に基づいて、乗り物情報を調節することができる。クライアント端末は、調節された乗り物情報を含む充電要求を生成することができる。いくつかの実施形態において、生成ユニット１２３０は、関連づけプロンプトに基づいて、クライアント端末と充電管理デバイスを接続する関連づけ要求を生成するように構成することができる。関連づけ要求は、クライアント端末と充電管理デバイス（例えば、充電管理デバイス４２０）を接続するのに使用することができる。いくつかの実施形態において、ユーザは、クライアント端末のユーザインタフェースを介して、クライアント端末に関連する情報を調節することができる。クライアント端末は、クライアント端末に関連する調節された情報を含む、関連づけ要求を生成することができる。
【０１４２】
送信ユニット１２４０は、充電要求と関連づけ要求を充電パイルに送信するように構成することができる。充電パイルは、充電要求と関連づけ要求を充電管理デバイスに送信することができる。充電管理デバイスは、電動乗り物を充電するための充電情報を生成し、その充電情報を充電パイルに送信することができる。充電パイルは、この開示のどこか（例えば、図１１とその記述）に記載した充電情報に基づいて電動乗り物を充電することができる。
【０１４３】
上述した記述は、単に例示目的のためであり、この開示の範囲を限定することを意図したものではないことに留意する必要がある。当業者には、この開示の教示の下で、複数の変形および変更を行うことができる。しかしながら、これらの変形および変更は、この開示の範囲から逸脱しない。例えば、送信ユニット１０４０と受信ユニット１２１０は１つのユニットに統合することができる。
【０１４４】
図１３は、この開示のいくつかの実施形態による、電動乗り物を充電するための例示プロセス１３００を図示するフローチャートである。プロセス１３００は、オンラインツーオフラインサービスシステム１００により実行することができる。例えば、プロセス１３００は、プロセッサ、少なくとも１つのストレージデバイス、および、ネットワークに通信可能に接続された、データ交換ポートを有するクライアント端末（例えば、クライアント端末１３０）にインプリメントすることができる。プロセス１３００は、少なくとも１つのストレージデバイスに記憶された命令のセット（例えば、アプリケーション）としてインプリメントすることができる。クライアント端末のプロセッサは、命令のセットを実行することができ、命令を実行しているとき、プロセス１３００を実行するように構成することができる。下記に提示する図示プロセスの動作は、例示目的であることを意図している。いくつかの実施形態において、プロセス１３００は、記載されていない１つまたは複数のさらなる動作、及び／または記載した動作の１つまたは複数なしに、達成することができる。さらに、図１３に図示し、下記に説明するプロセスの動作の順番は、限定することを意図したものではない。
【０１４５】
１３１０において、プロセッサ（例えば、受信ユニット１２１０）は、充電パイルがクライアント端末に関連づけられた電動乗り物に接続された後で、データ交換ポートを介して充電パイルから、充電プロンプトと関連づけプロンプトを受信することができる。いくつかの実施形態において、充電パイルは、電動乗り物に接続された充電インタフェースを介して、電動乗り物に接続することができる。充電プロンプトと関連づけプロンプトは、充電パイルが充電インタフェースを検出した後で、充電パイルにより生成することができる。充電プロンプトは、この開示のどこか（例えば、図１１とその記述）に記載した受電パイルによって取得された、電動乗り物に関する乗り物情報を含むことができる。関連づけプロンプトは、この開示のどこか（例えば、図１１とその記述）に記載したように、充電パイルにより決定されたクライアント端末に関連する情報を含むことができる。充電パイルは、充電プロンプトと関連づけプロンプトをクライアント端末に送信することができる。
【０１４６】
１３２０において、プロセッサ（例えば、表示ユニット１２２０）は、クライアント端末１３０のユーザインタフェースに充電プロンプトおよび／または関連づけプロンプトを表示させることができる。いくつかの実施形態において、クライアント端末１３０は、充電プロンプト及び／または関連づけプロンプトを、テキストまたは画像の形式でユーザインタフェースに表示することができる。いくつかの実施形態において、クライアント端末１３０は、充電プロンプトおよび／または関連づけプロンプトをテキスト、音声、画像などの形式のメッセージを介して、ユーザに表示することができる。
【０１４７】
ステップ１３３０において、プロセッサ（例えば、生成ユニット１２３０）は、ユーザインタフェース上のユーザ相互作用に基づいて、電動乗り物を充電するための充電要求を生成することができる。いくつかの実施形態において、充電要求は、ユーザインタフェースを介して、ユーザにより入力することができる。いくつかの実施形態において、ユーザは、ユーザインタフェース上のユーザ相互作用に基づいて、電動乗り物に関連する乗り物情報を、調節することができる。クライアント端末は、調節された乗り物情報を含む充電要求を、生成することができる。
【０１４８】
ステップ１３４０において、プロセッサ（例えば、生成ユニット１２３０）は、関連づけプロンプトに基づいて、クライアント端末を受電管理デバイスに接続するための関連づけ要求を、生成することができる。関連づけ要求は、クライアント端末を充電管理デバイス（例えば、充電管理デバイス４２０）に接続するのに、使用することができる。いくつかの実施形態において、ユーザは、クライアント端末のユーザインタフェースを介して、クライアント端末に関連する情報を調節することができる。クライアント端末は、クライアント端末に関連する調節された情報を含む関連づけ要求を、生成することができる。
【０１４９】
ステップ１３５０において、プロセッサ（例えば、送信ユニット１２４０）は、充電要求と関連づけ要求を充電パイルに送信することができる。いくつかの実施形態において、プロセッサ（例えば、送信ユニット１２４０）は、充電要求と関連づけ要求を、ネットワーク（例えば、ネットワーク１２０）に通信可能に接続された、データ交換ポートを介して充電パイルへ送信することができる。充電パイルはさらに、充電要求と関連づけ要求を、充電管理デバイスに送信することができる。充電管理デバイスは、電動乗り物を充電するための充電情報を生成することができ、充電情報を充電パイルに送信することができる。電動乗り物を充電するための充電情報は、この開示のどこかに記載した、１つまたは複数の基準充電パラメータを含むことができる。充電パイルは、この開示のどこか（例えば、図１１とその記述）に記載した充電情報に基づいて電動乗り物を充電することができる。
【０１５０】
いくつかの実施形態において、クライアント端末は、充電管理デバイス、または充電パイルにより送信された電動乗り物に、現在の充電ステータスを受信することができる。クライアント端末は、クライアント端末および／または充電パイル上にインプリメントされたユーザインタフェースに、現在の充電ステータスをユーザのために表示することができる。
【０１５１】
いくつかの実施形態において、クライアント端末は、ユーザインタフェースを介したユーザの入力に基づいて、充電停止要求を生成および／または受信することができる。例えば、ユーザは、充電停止要求に関連づけられた停止ボタンを、ユーザインタフェース上でクリックすることができる。クライアント端末は、充電停止要求を生成することができる。
【０１５２】
いくつかの実施形態において、クライアント端末は、充電管理デバイスにより生成され、送信された充電料金を受信することができる。充電管理デバイスは、充電情報および／または電流充電ステータスに基づいて、充電料金を決定することができる。例えば、充電料金は、基準充電料金、または図９に記載した現在の充電料金に等しくすることができる。さらに、充電管理デバイスは、計算された充電料金を、クライアント端末に送信することができる。クライアント端末は、計算された充電料金を、ユーザのためにユーザインタフェースに表示することができる。クライアント端末は、ユーザにより、ユーザインタフェースから充電料金に対する支払い確認を取得することができる。例えば、ユーザは、支払い確認を生成するためにユーザインタフェースに支払い確認に関連付けられたボタンをクリックすることができる。クライアント端末は、支払い確認を充電管理デバイスに送信して、充電管理デバイスにクライアント端末に関連づけられた電子銀行口座から、充電料金を差し引くことができる。
【０１５３】
上述した記載は、単に例示目的のために提供され、この開示の範囲を限定することを意図したものではないことに留意する必要がある。当業者には、この開示の教示の下で、複数の変形および変更を行うことができる。しかしながら、これらの変形および変更は、この開示の範囲から逸脱しない。例えば、動作１３３０と動作１３４０は同期して実行することができる。
【０１５４】
図１４は、この開示のいくつかの実施形態による電動乗り物を充電するための例示プロセス１４００を図示するフローチャートである。プロセス１４００は、オンラインツーオフラインサービスシステム１００により実行することができる。例えば、プロセス１４００は、プロセッサ、少なくとも１つのストレージデバイス、およびネットワークに通信可能に接続された、データ交換ポートを有する充電パイル（例えば、充電ステーション１６０の充電パイル）にインプリメントすることができる。プロセス１１００は、少なくともストレージデバイスに記憶された命令のセット（例えば、アプリケーション）としてインプリメントすることができる。充電パイルのプロセッサは、命令のセットを実行することができ、命令を実行しているとき、プロセス１４００を実行するように構成することができる。下記に提示された図示プロセスの動作は、例示を意図したものである。いくつかの実施形態において、プロセス１４００は、記載されていない１つまたは複数の追加の動作および／または記載した動作の１つまたは複数なしで達成することができる。さらに、図１４に例示し、下記に記載したプロセスの動作の順番は、限定することを意図したものではない。いくつかの実施形態において、プロセス１１００はさらに動作１４１０乃至１４４０を含むことができる。
【０１５５】
ステップ１４１０において、プロセッサ（例えば、受信ユニット１０３０)は、物理接続を介して、充電パイル１６０に接続された電動乗り物の乗り物情報を取得することができる。物理接続は、有線接続（例えば、充電ライン）を含むことができる。いくつかの実施形態において、電動乗り物は、充電インタフェースを含むことができる。充電パイルは、充電インタフェースを介して、電動乗り物に接続することができる。いくつかの実施形態において、プロセッサは、充電インタフェースを介して、乗り物情報を取得することができる。いくつかの実施形態において、プロセッサは、プロセッサが充電インタフェースを検出すると、ネットワーク（例えば、ネットワーク１２０）を介して充電パイルとクライアント端末との間の接続を確立することができる。さらに、プロセッサは、ネットワーク（例えば、ネットワーク１２０）を介して通信可能に接続されたデータ交換ポートを介して、電動乗り物から乗り物情報を取得することができる。乗り物情報は、電動乗り物にインプリメントされたストレージデバイスに記憶することができる。電動乗り物の乗り物情報は、電動乗り物のタイプ、電動乗り物のブランド、電動乗り物のライセンス番号、電動乗り物の現在の余剰電力、電動乗り物の充電器のタイプ等を含むことができる。
【０１５６】
ステップ１４２０において、プロセッサ（例えば、送信ユニット１０２０）は、乗り物情報に基づいて、問い合わせ命令を充電管理デバイスに送信することができる。問い合わせ命令は、乗り物情報に対応する充電情報を取得するために使用することができる。問い合せ命令は、この開示のどこかで記載したように、充電要求および／または関連づけ要求を含むことができる。充電要求は、乗り物情報を含むことができる。関連づけ要求は、クライアント端末に関連する情報を含むことができる。クライアント端末に関連する情報は、クライアント端末の識別情報、例えば、クライアント端末のＭＡＣアドレス、クライアント端末のＩＭＥＩ、疑似固有ＩＤ、ＡｎｄｒｏｉｄＩＤ等、またはそれらの組み合わせを含むことができる。
【０１５７】
ステップ１４３０において、プロセッサ（例えば、受信ユニット１０３０）は、乗り物情報に対応した充電情報、および充電信号を受信することができる。充電管理デバイスは、乗り物情報に基づいて、充電情報を推定および／またはサーチすることができる。充電情報は、この開示のどこかで記載したように、１つまたは複数の基準充電パラメータ、例えば、基準充電期間、基準充電電圧、基準充電電流、基準充電量、等を含むことができる。例えば、充電管理デバイスは、電動乗り物のタイプに基づいて、基準充電電流を決定することができる。他の例として、充電管理デバイスは、電動乗り物の現在の余剰電力に基づいて、基準充電期間または基準充電量を推定することができる。充電管理デバイスは、充電情報を充電パイルに送信することができる。
【０１５８】
充電信号は、クライアント端末から電動乗り物の充電を開始するための確認であり得る。いくつかの実施形態において、充電管理デバイスは、充電パイルを開始するための制御命令を生成することができる。充電管理デバイスは、充電パイルを開始するため制御命令をクライアント端末に送信することができる。クライアント端末は、制御命令をユーザに表示し、ユーザから受電パイルの開始に関する確認を受信すると、充電信号を生成することができる。
【０１５９】
ステップ１４４０において、（例えば、判断ユニット１０１０）は、充電パイルを動作させて、充電情報に基づいて電動乗り物を充電することができる。いくつかの実施形態において、プロセッサが、充電情報を充電管理デバイスから受信した後で、プロセッサは、充電パイルを開始して電動乗り物を充電することができる。いくつかの実施形態において、プロセッサが、充電情報を充電管理デバイスから受信した後で、プロセッサは、電動乗り物の充電を開始するためのプロンプトを生成することができる。いくつかの実施形態において、電動乗り物の充電の開始のプロンプトは、充電パイルのユーザインタフェースに表示することができる。いくつかの実施形態において、電動乗り物の充電を開始するプロンプトは、クライアント端末に送信されてユーザに表示することができる。いくつかの実施形態において、プロセッサは、電動乗り物の充電の開始のプロンプトに対する確認を受信すると、充電パイルを開始して電動乗り物を充電することができる。いくつかの実施形態において、ユーザは、電動乗り物充電の開始のプロンプトを受信した後で、充電パイルを手動で開始することができる。
【０１６０】
上述した記述は、単に例示目的のために提供され、この開示の範囲を限定することを意図したものではないことに留意する必要がある。当業者には、この開示の教示の下で、複数の変形および変更を行うことができる。しかしながら、これらの変形および変更は、この開示の範囲から逸脱しない。例えば、プロセス１４００は、さらに、クライアント端末に関連する情報を決定することと、クライアント端末に関連する情報に基づいて、電動乗り物に関連づけられたクライアント端末を決定することとを含むことができる。
【０１６１】
図１５は、この開示のいくつかの実施形態による電動乗り物１4０を充電するための例示プロセス１５００を例示するフローチャートである。プロセス１５００は、オンラインツーオフラインサービスシステム１００により実行することができる。例えば、プロセス１５００は、プロセッサ、少なくとも１つのストレージデバイス、およびネットワークに通信可能に接続されたデータ交換ポートを有する処理デバイス（例えば充電管理デバイス４２０）上でインプリメントすることができる。プロセス１５００は、ストレージデバイス１５０に記憶された命令のセット（例えば、アプリケーション）としてインプリメントすることができる。充電管理デバイス４２０は、命令のセットを実行することができ、命令を実行すると、プロセス１５００を実行するように構成することができる。下記に提示した例示プロセスの動作は、例示であることを意図する。いくつかの実施形態において、プロセス１５００は、記載していない１つまたは複数のさらなる動作および／または記載した動作の１つまたは複数なしで達成することができる。さらに、図１５に例示し以下に記載するプロセスの順番は、限定することを意図したものではない。いくつかの実施形態において、プロセス９００はさらに、動作１５１０乃至１５５０を含むことができる。
【０１６２】
ステップ１５１０において、充電管理デバイス４２０（例えば、受信ユニット８１０）は、充電パイル１６０から問いあわせ命令を受信することができる。問合せ命令は、この開示のどこかに記載した充電要求および／または関連づけ要求を含むことができる。充電要求は、電動乗り物を充電するための乗り物情報を含むことができる。関連づけ要求は、充電管理デバイス４２０を、電動乗り物に関連づけられた、クライアントデバイスと接続するために、クライアント端末に関連する情報を含むことができる。クライアント端末に関連する情報は、クライアント端末の識別情報、例えば、クライアント端末のＭＡＣアドレス、クライアント端末のＩＭＥＩ、疑似固有ＩＤ、ＡｎｄｒｏｉｄＩＤ等、またはそれらの組み合わせを含むことができる。
【０１６３】
ステップ１５２０において、充電管理デバイス４２０（例えば、決定ユニット８２０）は、問合せ命令に基づいて対応するクライアント端末を決定することができる。いくつかの実施形態において、充電管理デバイス４２０（例えば、決定ユニット８２０）は、関連づけ要求に基づいて対応するクライアント端末を決定することができる。さらに、充電管理デバイス４２０（例えば、決定ユニット８２０）は、クライアント端末に関連する情報に基づいて、対応するクライアント端末を決定することができる。いくつかの実施形態において、充電管理デバイス４２０は、ネットワーク（例えば、ネットワーク１２０）を介して、充電管理デバイス４２０と対応するクライアント端末との間の接続を確立することができる。
【０１６４】
ステップ１５３０において、充電管理デバイス４２０（例えば、送信ユニット８４０）は、充電パイルを開始するための制御命令を対応するクライアント端末に送信することができる。いくつかの実施形態において、充電管理デバイス４２０は、制御命令を、ネットワーク（例えば、ネットワーク１２０）に通信可能に接続されたデータ交換ポートを介して、対応するクライアント端末に送信することができる。
【０１６５】
ステップ１５４０において、充電管理デバイス４２０（例えば、受信ユニット８１０）は、対応するクライアント端末から充電信号を受信することができる。対応するクライアント端末は、ユーザから充電パイルを開始するための確認を受信すると、制御命令をユーザに表示し、充電信号を生成することができる。
【０１６６】
ステップ１５５０において、充電管理デバイス４２０（例えば、送信ユニット８４０）は、充電信号を充電パイルに送信し、充電パイルに電動乗り物１４０を充電させることができる。充電パイルが充電信号を受信した後で、充電パイルは、電動乗り物の充電を開始することができる。いくつかの実施形態において、充電管理デバイス４２０は、電動乗り物を充電するための充電情報を生成することができる。充電パイルは、充電情報に基づいて電動乗り物を充電することができる。
【０１６７】
上述した記載は、単に、例示目的のために提供され、この開示の範囲を限定することを意図したものではないことに留意する必要がある。当業者には、この開示の教示の下で、複数の変形および変更を行うことができる。しかしながら、これらの変形および変更はこの開示の範囲から逸脱しない。
【０１６８】
図１６は、この開示のいくつかの実施形態による充電プロセス１６００を例示する概略図を示す。図１６に示すように、ユーザは、ネットワーク（例えば、ネットワーク１２０）を介してクライアント端末と電動乗り物１６１０を接続することができる。電動乗り物１６１０とクライアント端末１６２０に関連する関係づけ情報を生成することができる。関連づけ情報は、電動乗り物１６１０に関連する乗り物情報と、対応するクライアント端末１６２０に関連する情報を含むことができる。電動乗り物１６１０が、電動乗り物１６１０にインプリメントされた充電インタフェースを介して充電パイル１６２０に物理的に接続されると、充電パイル１６２０は、サーバ１６４０とクライアント端末１６３０を接続するための関連づけ要求と、電動乗り物１６１０を充電するための充電要求をサーバ１６４０に送信することができる。次に、サーバ１６４０は、充電要求に基づいて充電情報を生成し、その充電情報を、充電パイル１６２０に送信することができる。充電パイル１６２０は、充電情報に基づいて電動乗り物１６１０を充電することができる。いくつかの実施形態において、サーバ１６４０は、電動乗り物１６１０の現在の充電ステータスを、充電パイル１６２０から受信することができる。サーバ１６４０は、充電情報および／または現在の充電ステータスに基づいて、充電料金を決定することができる。サーバ１６４０は、受信した現在の充電ステータスおよび／または充電料金をクライアント端末１６３０に送信することができる。サーバ１６４０は、クライアント端末１６３０に関連づけられた電子銀行口座から充電料金を差し引くことができる。いくつかの実施形態において、ユーザは、クライアント端末１６３０を介して、充電停止命令を充電パイル１６２０および／またはサーバ１６４０に入力することができる。充電パイル１６２０は、充電停止命令に応答して、電動乗り物１６１０の充電を停止することができる。
【０１６９】
この開示で記載した種々のモジュール、ユニット、およびそれらの機能性をインプリメントするために、コンピュータハードウェアプラットフォームを、ここに記載したエレメントの１つまたは複数のためのハードウェアプラットフォーム（複数の場合もある）として使用することができる。ユーザインタフェースエレメントを有するコンピュータを用いて、パーソナルコンピュータ（ＰＣ）または任意の他のタイプのワークステーション、または端末デバイスをインプリメントすることができる。コンピュータは、また、適切にプログラムされた場合、サーバとして動作することができる。
【０１７０】
以上基本概念について述べたが、当業者には、この詳細な記述を読んだ後で、上述した詳細な記述は、例示を意図したものであって、限定することを意図したものではないことが明らかであろう。ここには明示していないが、当業者には、種々の代替、改良、および変形を生ずることができる。これらの代替、改良、変形はこの開示により示唆されることが意図され、この開示の例示実施形態の精神と範囲内である。
【０１７１】
さらに、この開示の実施形態を記載するのに、ある用語を用いた。例えば、「１つの実施形態（one embodiment）」、「１つの実施形態（an embodiment）」、および／または「いくつかの実施形態」は、実施形態に関連して記載した特定の特徴、構造または特性が、この開示の少なくとも１つの実施形態に含まれることを意味する。それゆえ、この明細書の種々の部分における「１つの実施形態(an embodiment）」または「１つの実施形態（one embodiment）」または「代替実施形態（an alternative embodiment）」は、必ずしもすべてが同じ実施形態に言及するとは限らないことが、強調されるとともに理解されねばならない。さらに、特定の特徴、構造、または特性は、この開示の１つまたは複数の実施形態において、適切に組み合わせることができる。
【０１７２】
さらに、この開示の態様は、任意の新しいかつ有用なプロセス、マシン、製造、または物質の組成、またはそれらの新しくかつ有用な改良を含む、多数の特許性のあるクラスまたはコンテキストのいずれかにおいて、ここに例示および記載することができることが、当業者には理解されるであろう。従って、この開示の態様は、すべてハードウェアで、すべてソフトウェで（ファームウェア、レジデントソフトウェア、マイクロコード等を含む）、またはここでは、すべてが一般的に、「ユニット」、「モジュール」、または「システム」と呼ぶことができるソ、フトウェアとハードウェアのインプリメンテーションを結合してインプリメントすることができる。さらに、この開示の態様は、その中にコンピュータ可読プログラムコードが具現化された、１つまたは複数のコンピュータ可読媒体に具現化されたコンピュータプログラムプロダクトの形態を取ることができる。
【０１７３】
コンピュータ可読信号媒体は、その中に具現化されたコンピュータ可読プログラムを備えた伝搬データ信号、例えば、ベースバンドで、または搬送波の一部として、含むことができる。そのような伝搬信号は、電磁気、光等、またはそれらの任意の適切な組み合わせを含む種々の形態のいずれかを取ることができる。コンピュータ可読信号媒体は、コンピュータ可読記憶媒体ではない、および命令実行システム、装置またはデバイスにより、または関連して使用するためのプログラムを通信し、伝搬し、または転送することができる、任意のコンピュータ可読媒体であり得る。コンピュータ可読信号媒体に具現化されたプログラムは、無線、有線、光ファイバ、ケーブル、ＲＦ、等またはそれらの任意の適切な組み合わせを含む、任意の適切な媒体を用いて送信することができる。
【０１７４】
この開示の態様のための動作を実行するためのコンピュータプログラムコードは、Ｊａｖａ、Ｓｃａｌａ、Ｓｍａｌｌｔａｌｋ、Ｅｉｆｆｅｌ、ＪＡＤＥ、Ｅｍｅｒａｌｄ、Ｃ＋＋、Ｃ＃、ＶＢ．ＮＥＴ、Ｐｙｔｈｏｎ、等のようなオブジェクト指向プログラミング言語、「Ｃ」プログラミング言語、Ｖｉｓｕａｌ  Ｂａｓｉｃ、Ｆｏｒｔｒａｎ２００３、Ｐｅｒｌ、ＣＯＢＯＬ２００２、ＰＨＰ、ＡＢＡＰ、のような汎用手続きプログラミング言語、Ｐｙｔｈｏｎ、Ｒｕｂｙ、Ｇｒｏｏｖｙのような動的プログラミング言語、または他のプログラミング言語を含む１つまたは複数のプログラミング言語の任意の組み合わせで書くことができる。プログラミングコードは、スタンドアロンソフトウェアパッケージとして、全体をユーザのコンピュータ上で、一部をユーザのコンピュータ上で、実行することもできるし、一部をユーザのコンピュータ上で、一部をリモートコンピュータ上であるいは、全体をリモートコンピュータ上で実行することができる。後者のシナリオでは、リモートコンピュータは、ローカルエリアネットワーク（ＬＡＮ）、またはワイドエリアネットワーク（ＷＡＮ）を含むネットワークの任意のタイプを介してユーザのコンピュータに接続することもできるし、あるいは接続は、外部コンピュータ（例えば、インターネットサービスプロバイダを用いたインターネットを介して）に接続することもできるし、あるいは、クラウドコンピューティング環境で、あるいは、サービスとしてのソフトウェア（ＳａａＳ）のようなサービスとして接続することもできる。
【０１７５】
さらに、エレメントまたはシーケンスを処理する順番、番号の使用、文字、またはそのための他の指定は、請求された処理および方法を、特許請求の範囲に指定した場合を除いて任意の順番に限定することを意図しない。上述した開示は、現在、この開示の種々の有用な実施形態と考えられる、種々の例を通じて説明したが、そのような詳細は、単にその目的のためであり、特許請求の範囲に記載した請求項は、開示された実施形態に限定されず、この開示の精神と範囲内にある、変形および等価な構成をカバーすることを意図している。例えば、上述した種々の実施形態のインプリメンテーションは、ハードウェアデバイスで具現化することができるけれども、ソフトウェアのみの解法、例えば、既存のサーバ、またはモバイルデバイスへのインストレーションとしてインプリメントすることができる。
【０１７６】
同様に、この開示の実施形態の上述の記述において、種々の特徴は、種々の実施形態の１つまたは複数の理解を助けるために開示を簡素化する目的のために、１つの実施形態、図面、または記述において、ときとしてグループ化されていることが理解される。しかしながら、この方法は、請求した主題が各請求項において、明示的に記載したものよりも多くの特徴を必要とすることを強調することを反映するものとして解釈されるべきでない。むしろ、請求された主題は、単一の上述した主題のすべての特徴未満に存在することができる。
【図１】
2021504850.tif 000003
【図２】
2021504850.tif 000004
【図３】
2021504850.tif 000005
【図４】
2021504850.tif 000006
【図５】
2021504850.tif 000007
【図６】
2021504850.tif 000008
【図７】
2021504850.tif 000009
【図８】
2021504850.tif 000010
【図９】
2021504850.tif 000011
【図１０】
2021504850.tif 000012
【図１１】
2021504850.tif 000013
【図１２】
2021504850.tif 000014
【図１３】
2021504850.tif 000015
【図１４】
2021504850.tif 000016
【図１５】
2021504850.tif 000017
【図１６】
2021504850.tif 000018
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
電動乗り物を充電するための１つまたは複数のコンピューティングデバイスにインプリメントされた方法であって、前記１つまたは複数のコンピューティングデバイスの各々は、少なくとも１つのプロセッサと、少なくとも１つのストレージデバイスと、ネットワークに通信可能に接続されたデータ交換ポートを有し、前記１つまたは複数のコンピューティングデバイスは、充電ステーション推奨のための第１のコンピューティングデバイスまたは充電制御のための第２のコンピューティングデバイスの少なくとも１つを含み、前記方法は、
前記第１のコンピューティングデバイスにより、クライアント端末からの充電ステーション要求を受信するステップと、
前記第１のコンピューティングデバイスにより、前記クライアント端末の事前設定された距離範囲内の少なくとも１つの充電ステーションを決定するステップと、
前記第１のコンピューティングデバイスにより、１つまたは複数の評価パラメータに基づいて、前記少なくとも１つの充電ステーションの各々に関する評価を判断するステップであって、前記１つまたは複数の評価パラメータは、
前記少なくとも１つの充電ステーションの各々により提供された価格ディスカウントと、前記少なくとも１つの充電ステーションの各々と、前記クライアント端末との間の距離と、前記少なくとも１つの充電ステーションの各々に関する事前設定された推奨値と、前記少なくとも１つの充電ステーションの各々の過去の評価、の少なくとも１つを含む、判断するステップと、
前記第１のコンピューティングデバイスにより、前記少なくとも１つの充電ステーションの各々の前記評価と、前記少なくとも１つの充電ステーションの各々の識別子を前記クライアント端末に送信するステップと、
備えた方法。
【請求項２】
前記第１のコンピューティングデバイスにより、前記少なくとも１つの充電ステーションの各々に関する評価を判断するステップは、
それぞれ、前記１つまたは複数の評価パラメータに対応する、１つまたは複数の事前設定された重み付け値を取得するステップと、
前記１つまたは複数の事前設定された重み付け値に基づいて、前記１つまたは複数の評価パラメータの重み付けされた合計を推定するステップと、
前記１つまたは複数の評価パラメータの重み付けされた合計を、前記少なくとも１つの充電ステーションの各々の評価として指定するステップと、
を含む、請求項１に記載の方法。
【請求項３】
前記１つまたは複数の事前設定された重み付け値は、
少なくとも１つの充電ステーションの各々により提供される価格ディスカウントに対応する、第１の事前設定された重み付け値が４０％である、前記少なくとも１つの充電ステーションの各々と、前記クライアント端末との間の距離に対応する、第２の事前設定された重み付け値が３５％である、前記少なくとも充電ステーションの各々の前記事前設定された推奨値に対応する、第３の事前設定された重み付け値が２０％である、あるいは、前記少なくとも１つの充電ステーションの各々の前記過去の評価値に対応する、第４の事前設定された重み付け値が５％である、の少なくとも１つを含む、請求項２に記載の方法。
【請求項４】
前記少なくとも１つの充電ステーションに対して、前記第１のコンピューティングデバイスにより、１つまたは複数の推奨パラメータに基づいて、前記事前設定された推奨値を決定するステップであって、前記１つまたは複数の推奨パラメータは、
前記少なくとも１つの充電ステーションの各々における充電パイルの数、前記少なくとも１つの充電ステーションの各々におけるリアルタイム駐車料金、または前記少なくとも１つの充電ステーションの各々に関連づけられた充電単価、の少なくとも１つを含む、請求項１に記載の方法。
【請求項５】
前記事前設定された推奨値を決定するステップは、
それぞれ、１つまたは複数の推奨パラメータの１つに対応する前記１つまたは複数のパーセンテージを取得するステップと、
前記１つまたは複数の事前設定されたパーセンテージに基づいて前記事前設定された推奨値を決定するステップと、を含み、前記事前設定された推奨値は、それぞれ前記対応する事前設定されたパーセンテージを多重化する前記１つまたは複数の推奨パラメータの合計に等しい、請求項４に記載の方法。
【請求項６】
前記１つまたは複数の事前設定されたパーセンテージは、
前記充電ステーションの各々における充電パイルの数に対応する、第１の事前設定されたパーセンテージは、４５％である、前記少なくとも１つの充電ステーションの各々における前記リアルタイム駐車料金に対応する、第２の事前設定されたパーセンテージは３５％である、または、前記少なくとも１つの充電ステーションの各々に関連づけられた充電単価に対応する、第３の事前設定されたパーセンテージは、２０％である、の少なくとも１つを含む、請求項５に記載の方法。
【請求項７】
前記少なくとも１つの充電ステーションの各々の前記評価と、前記少なくとも１つの充電ステーションの各々の識別子を、前記クライアント端末に送信するステップは、
前記少なくとも１つの充電ステーションを、前記少なくとも１つの充電ステーションの前記評価に従って、降べきの順にソートするステップと、
前記ソートされた少なくとも１つの充電ステーションの各々の前記評価と、前記ソートされた少なくとも１つの充電ステーションの各々の前記識別子を、表示のために前記クライアント端末に送信するステップと、
を含む、請求項１乃至６のいずれか一項に記載の方法。
【請求項８】
前記少なくとも１つの充電ステーションの各々の前記評価と、前記少なくとも１つの充電ステーションの各々の識別子を、前記クライアント端末に送信するステップは、
前記少なくとも１つの充電ステーションの各々の前記評価が、事前設定されたしきい値以上かどうかを判断するステップと、
前記評価が、前記事前設定されたしきい値以上であるとの判断に応答して、前記少なくとも１つの充電ステーションの、各々の前記識別子を表示のために前記クライアント端末に送信するステップと、を含む、請求項１乃至６に記載のいずれか一項に記載の方法。
【請求項９】
前記第２のコンピューティングデバイスにより、充電要求と、前記クライアント端末と前記第２のコンピューティングデバイスとを接続するための関連づけ要求を、前記少なくとも１つの充電ステーションの１つにおける目標充電パイルから受信するステップと、
前記第２のコンピューティングデバイスにより、前記充電要求に基づいて、前記クライアント端末に関連づけられた電動乗り物を充電するための充電情報を決定するステップと、
前記第２のコンピューティングデバイスにより、前記第２のコンピューティングデバイスと、前記クライアント端末との間の接続を、前記関連づけ要求に基づいて確立するステップと、
前記第２のコンピューティングデバイスにより、前記充電情報を前記目標充電パイルに送信して、前記充電情報に基づいて前記電動乗り物を充電するステップと、
をさらに備えた、請求項１乃至８のいずれか一項に記載の方法。
【請求項１０】
前記第２のコンピューティングデバイスにより、前記電動乗り物の現在の充電ステータスを、前記目標充電パイルから取得するステップと、
前記第２のコンピューティングデバイスにより、前記現在の充電ステータスを、前記クライアント端末と前記第２のコンピューティングデバイスとの間の接続を介して前記クライアント端末に送信するステップと、
をさらに備えた、請求項９に記載の方法。
【請求項１１】
前記第２のコンピューティングデバイスにより、前記電動乗り物に関する充電が完了したかどうかを判断するステップと、
前記電動乗り物に関する充電が完了したとの判断に応答して、前記第２のコンピューティングデバイスにより、前記充電情報に対応する充電料金を決定するステップと、
前記第２のコンピューティングデバイスにより、前記充電料金を、前記クライアント端末に送信するステップと、
前記第２のコンピューティングデバイスにより、前記クライアント端末から前記充電料金に関する支払い確認を受信すると、前記クライアント端末に関連づけられた電子銀行口座から、前記充電料金を差し引くステップと、
をさらに備えた、請求項９または１０に記載の方法。
【請求項１２】
コンピュータプログラムプロダクトを具現化する非一時的コンピュータ可読媒体において、前記コンピュータプログラムプロダクトは、コンピューティングデバイスに、
充電ステーション推奨に関する要求をクライアント端末から受信させ、
前記クライアント端末の事前設定された距離範囲内にある、少なくとも１つの充電ステーションを決定させ、
１つまたは複数の評価パラメータに基づいて、前記少なくとも１つの充電ステーションの各々に関する評価を決定させ、前記１つまたは複数の評価パラメータは、
前記少なくとも１つの充電ステーションの各々により提供される価格ディスカウント、前記少なくとも１つの充電ステーションの各々と前記クライアント端末との間の距離、前記少なくとも１つの充電ステーションの各々に関する事前設定された推奨値、または前記少なくとも１つの充電ステーションの各々の過去の評価、の少なくとも１つを含む評価を決定させ、
前記少なくとも１つの充電ステーションの各々の前記評価と、前記少なくとも１つの充電ステーションの各々の識別子を前記クライアント端末に送信させる、非一時的コンピュータ可読媒体。
【請求項１３】
クライアント端末からの充電ステーション要求を受信するように構成された受信ユニットと、
前記クライアント端末の事前設定された距離範囲内の少なくとも１つの充電ステーションを決定するように構成された決定ユニットと、
１つまたは複数の評価パラメータに基づいて、前記少なくとも１つの充電ステーションの各々に関する評価を決定するように構成された計算ユニットであって、前記１つまたは複数の評価パラメータは、前記少なくとも１つの充電ステーションの各々により提供される価格ディスカウントと、前記少なくとも１つの充電ステーションの各々と前記クライアント端末との間の距離と、前記少なくとも１つの充電ステーションの各々に関する事前設定された推奨値と、および前記少なくとも１つの充電ステーションの各々の過去の評価、の少なくとも１つを含む、計算ユニットと、
前記少なくとも１つの充電ステーションの各々の前記評価と、前記少なくとも１つの充電ステーションの各々の識別子を前記クライアント端末に送信するように構成されたプッシュユニットと、
を備えたシステム。
【請求項１４】
前記少なくとも１つの充電ステーションの各々に関する評価を決定することは、
前記１つまたは複数の評価パラメータに対応する前記１つまたは複数の事前設定重み値をそれぞれ取得することと、
前記１つまたは複数の事前設定された重み値に基づいて前記１つまたは複数の評価パラメータの重み付けされた合計を推定することと、
前記１つまたは複数の評価パラメータの前記重み付けされた合計を前記少なくとも１つの充電ステーションの前記各々の前記評価として指定することと、
を含む、請求項１３に記載のシステム。
【請求項１５】
前記受信ユニットは、充電要求と、前記クライアント端末と第２のコンピューティングデバイスを接続するための関連づけ要求を、前記少なくとも１つの充電ステーションの１つにおける目標充電パイルから樹脂するようにさらに構成され、
前記決定ユニットは、前記充電要求に基づいて前記クライアント端末に関連づけられた電動乗物を充電するための充電情報を、前記第の２コンピューティングデバイスにより決定するようにさらに構成され、
前記システムはさらに、
前記関連づけ要求に基づいて、前記第２のコンピューティングデバイスと前記クライアント端末との間の接続を確立するように構成された接続ユニットと、
前記充電情報に基づいて、前記電動乗物を充電するための前記充電情報を前記目標充電パイルに送信するように構成された送信ユニットと、
をさらに含む、請求項１３に記載のシステム。
【国際調査報告】
2021504850.tif 000019
2021504850.tif 000020